(57)【要約】  【課題】  放送終了後または放送中の番組のダイジェスト映像を容易に視聴できるようにする。  【解決手段】  サーバ１は、各放送局の放送を継続的に記録すると共に、放送中で歓声や拍手などが起こったシーンを盛り上がりシーンとして検出する。ユーザが携帯端末２を用いて視聴したい番組をインターネットを介して要求すると、サーバ１は、盛り上がりシーンのリストを例えばインターネットのＷｅｂページにより携帯端末２に提示する。ユーザは、提示されたリストから所望の盛り上がりシーンを選択し、サーバ１に対して要求する。サーバ１は、選択された盛り上がりシーンに対応する映像データをダイジェスト映像として、携帯端末２に対してインターネットを介したパケット通信で送信する。ユーザは、プロ野球中継などのように長時間にわたり放送された番組であっても、放送終了後に、短時間で効率的に視聴することができる。【選択図】  図１
2006013796.tif 000002
【特許請求の範囲】
【請求項１】
通信網を介して通信を行う第１の通信手段と、
少なくとも個体を識別する識別情報とダイジェスト映像を要求するダイジェスト映像要求情報とを上記第１の通信手段により送信する送信手段と
を有する端末装置と、
テレビジョン放送を受信する第１の受信手段と、
上記第１の受信手段で受信された上記テレビジョン放送中の盛り上がりシーンを自動的に検出する盛り上がりシーン検出手段と、
上記通信網を介して通信を行う第２の通信手段と、
上記端末装置から送信され上記第２の通信手段で受信された上記ダイジェスト映像要求情報に応じて、上記盛り上がりシーン検出手段で検出された上記盛り上がりシーンに対応する映像データを上記ダイジェスト映像として上記第２の通信手段で上記端末装置に向けて送信する制御手段と
を有するダイジェスト映像提供装置と
を備えることを特徴とするダイジェスト映像提供システム。
【請求項２】
請求項１に記載のダイジェスト映像提供システムにおいて、
上記ダイジェスト映像提供装置は、上記ダイジェスト映像要求情報を上記第２の通信手段で受信すると、上記盛り上がりシーン検出手段で検出された上記盛り上がりシーンに基づくリストを上記通信網を介して上記端末装置に提示するようにしたことを特徴とするダイジェスト映像提供システム。
【請求項３】
請求項２に記載のダイジェスト映像提供システムにおいて、
上記端末装置は、上記リストに基づき上記ダイジェスト映像提供装置に対して上記ダイジェスト映像を要求することを特徴とするダイジェスト映像提供システム。
【請求項４】
請求項２に記載のダイジェスト映像提供システムにおいて、
上記リストは、上記テレビジョン放送中の上記盛り上がりシーンが検出された番組のリストであることを特徴とするダイジェスト映像提供システム。
【請求項５】
請求項２に記載のダイジェスト映像提供システムにおいて、
上記リストは、上記テレビジョン放送の放送番組中の盛り上がりシーンのリストであることを特徴とするダイジェスト映像提供システム。
【請求項６】
請求項５に記載のダイジェスト映像提供システムにおいて、
上記盛り上がりシーン検出手段は、上記盛り上がりシーンを検出すると共に、検出された上記盛り上がりシーンの盛り上がり度を求めるようにされ、上記リストは、上記盛り上がりシーンのそれぞれについて対応する上記盛り上がり度が示されることを特徴とするダイジェスト映像提供システム。
【請求項７】
請求項２に記載のダイジェスト映像提供システムにおいて、
上記通信網はインターネットであって、上記リストは、上記インターネット上のＷｅｂページとして上記端末装置に上記提示されることを特徴とするダイジェスト映像提供システム。
【請求項８】
請求項１に記載のダイジェスト映像提供システムにおいて、
上記盛り上がりシーン検出手段は、上記テレビジョン放送による音声信号に基づき上記盛り上がりシーンを検出することを特徴とするダイジェスト映像提供システム。
【請求項９】
請求項８に記載のダイジェスト映像提供システムにおいて、
上記盛り上がりシーン検出手段は、上記音声信号中の所定の人声の集合を検出して上記盛り上がりシーンを検出することを特徴とするダイジェスト映像提供システム。
【請求項１０】
請求項８に記載のダイジェスト映像提供システムにおいて、
上記盛り上がりシーン検出手段は、上記音声信号中の拍手音を検出して上記盛り上がりシーンを検出することを特徴とするダイジェスト映像提供システム。
【請求項１１】
請求項８に記載のダイジェスト映像提供システムにおいて、
上記盛り上がりシーン検出手段は、上記音声信号の音量の時間当たりの変化量に基づき上記盛り上がりシーンを検出することを特徴とするダイジェスト映像提供システム。
【請求項１２】
請求項８に記載のダイジェスト映像提供システムにおいて、
上記盛り上がりシーン検出手段は、
上記音声信号中の所定の人声の集合を検出して上記盛り上がりシーンを検出する第１の検出と、
上記音声信号中の拍手音を検出して上記盛り上がりシーンを検出する第２の検出と、
上記音声信号の音量の時間当たりの変化量に基づき上記盛り上がりシーンを検出する第３の検出と
を行い、
上記第１、第２および第３の検出による検出結果にそれぞれ所定に重み付けをして上記盛り上がりシーンを検出することを特徴とするダイジェスト映像提供システム。
【請求項１３】
請求項１２に記載のダイジェスト映像提供システムにおいて、
上記第１、第２および第３の検出結果に対する上記重み付けの比率は、上記テレビジョン放送の番組ジャンルに応じて可変とするようにしたことを特徴とするダイジェスト映像提供システム。
【請求項１４】
請求項１に記載のダイジェスト映像提供システムにおいて、
上記盛り上がりシーン検出手段は、検出された上記盛り上がりシーンの期間に対して時間的に前後に所定のマージンを設けることを特徴とするダイジェスト映像提供システム。
【請求項１５】
請求項１に記載のダイジェスト映像提供システムにおいて、
上記端末装置は、
上記テレビジョン放送を受信する第２の受信手段をさらに有し、
上記テレビジョン放送の上記第２の受信手段で受信中の放送番組を示す番組情報を上記ダイジェスト映像要求情報に含めて送信するようにされ、
上記ダイジェスト映像提供装置は、
受信された、該番組情報が含められた該ダイジェスト映像要求情報に応じて、該ダイジェスト映像要求情報に含まれる上記番組情報に示される上記テレビジョン放送の放送番組から検出された上記盛り上がりシーンに対応する映像データを上記ダイジェスト映像として上記第２の通信手段で上記端末装置に向けて送信するようにしたことを特徴とするダイジェスト映像提供システム。
【請求項１６】
請求項１に記載のダイジェスト映像提供システムにおいて、
上記制御手段は、上記ダイジェスト映像要求情報に応じて送信する上記ダイジェスト映像に対してコマーシャル映像またはコマーシャル画像を付加して上記端末装置に送信するようにしたことを特徴とするダイジェスト映像提供システム。
【請求項１７】
請求項１６に記載のダイジェスト映像提供システムにおいて、
上記コマーシャル映像または上記コマーシャル画像は、上記ダイジェスト映像の時間的に先頭側に付加されることを特徴とするダイジェスト映像提供システム。
【請求項１８】
請求項１６に記載のダイジェスト映像提供システムにおいて、
上記コマーシャル映像または上記コマーシャル画像は、上記ダイジェスト映像による画面の一部に付加されることを特徴とするダイジェスト映像提供システム。
【請求項１９】
端末装置側から通信網を介して通信を行う第１の通信のステップと、
少なくとも個体を識別する識別情報とダイジェスト映像を要求するダイジェスト映像要求情報とを上記第１の通信のステップにより上記端末装置から送信する送信のステップと、
ダイジェスト映像提供装置側でテレビジョン放送を受信する受信のステップと、
上記ダイジェスト映像提供装置側で上記受信のステップで受信された上記テレビジョン放送中の盛り上がりシーンを自動的に検出する盛り上がりシーン検出のステップと、
上記通信網を介して通信を行う第２の通信ステップと、
上記端末装置から送信され上記第２の通信のステップで受信された上記ダイジェスト映像要求情報に応じて、上記盛り上がりシーン検出のステップで検出された上記盛り上がりシーンに対応する映像データを上記ダイジェスト映像として上記第２の通信のステップで上記ダイジェスト映像提供装置から上記端末装置に向けて送信する制御のステップと
を備えることを特徴とするダイジェスト映像提供方法。
【請求項２０】
テレビジョン放送を受信する受信手段と、
上記受信手段で受信された上記テレビジョン放送中の盛り上がりシーンを自動的に検出する盛り上がりシーン検出手段と、
通信網を介して通信を行う通信手段と、
通信網を介して通信を行う手段と、少なくとも個体を識別する識別情報とダイジェスト映像を要求するダイジェスト映像要求情報とを上記通信を行う手段により送信する手段とを有する端末装置から送信され上記通信手段で受信された上記ダイジェスト映像要求情報に応じて、上記盛り上がりシーン検出手段で検出された上記盛り上がりシーンに対応する映像データを上記ダイジェスト映像として上記通信手段で上記端末装置に向けて送信する制御手段と
を有するダイジェスト映像提供装置。
【請求項２１】
請求項２０に記載のダイジェスト映像提供装置において、
上記ダイジェスト映像要求情報を上記通信手段で受信すると、上記盛り上がりシーン検出手段で検出された上記盛り上がりシーンに基づくリストを上記通信網を介して上記端末装置に提示するようにしたことを特徴とするダイジェスト映像提供装置。
【請求項２２】
請求項２１に記載のダイジェスト映像提供装置において、
上記端末装置から上記リストに基づき上記ダイジェスト映像が要求されることを特徴とするダイジェスト映像提供装置。
【請求項２３】
請求項２１に記載のダイジェスト映像提供装置において、
上記リストは、上記テレビジョン放送中の上記盛り上がりシーンが検出された番組のリストであることを特徴とするダイジェスト映像提供装置。
【請求項２４】
請求項２１に記載のダイジェスト映像提供装置において、
上記リストは、上記テレビジョン放送の放送番組中の盛り上がりシーンのリストであることを特徴とするダイジェスト映像提供装置。
【請求項２５】
請求項２４に記載のダイジェスト映像提供装置において、
上記盛り上がりシーン検出手段は、上記盛り上がりシーンを検出すると共に、検出された上記盛り上がりシーンの盛り上がり度を求めるようにされ、上記リストは、上記盛り上がりシーンのそれぞれについて対応する上記盛り上がり度が示されることを特徴とするダイジェスト映像提供装置。
【請求項２６】
請求項２１に記載のダイジェスト映像提供装置において、
上記通信網は、インターネットであって、上記リストは、上記インターネット上のＷｅｂページとして上記端末装置に上記提示されることを特徴とするダイジェスト映像提供装置。
【請求項２７】
請求項２０に記載のダイジェスト映像提供装置において、
上記盛り上がりシーン検出手段は、上記テレビジョン放送による音声信号に基づき上記盛り上がりシーンを検出することを特徴とするダイジェスト映像提供装置。
【請求項２８】
請求項２７に記載のダイジェスト映像提供装置において、
上記盛り上がりシーン検出手段は、上記音声信号中の所定の人声の集合を検出して上記盛り上がりシーンを検出することを特徴とするダイジェスト映像提供装置。
【請求項２９】
請求項２７に記載のダイジェスト映像提供装置において、
上記盛り上がりシーン検出手段は、上記音声信号中の拍手音を検出して上記盛り上がりシーンを検出することを特徴とするダイジェスト映像提供装置。
【請求項３０】
請求項２７に記載のダイジェスト映像提供装置において、
上記盛り上がりシーン検出手段は、上記音声信号の音量の時間当たりの変化量に基づき上記盛り上がりシーンを検出することを特徴とするダイジェスト映像提供装置。
【請求項３１】
請求項２７に記載のダイジェスト映像提供装置において、
上記盛り上がりシーン検出手段は、
上記音声信号中の所定の人声の集合を検出して上記盛り上がりシーンを検出する第１の検出と、
上記音声信号中の拍手音を検出して上記盛り上がりシーンを検出する第２の検出と、
上記音声信号の音量の時間当たりの変化量に基づき上記盛り上がりシーンを検出する第３の検出と
を行い、
上記第１、第２および第３の検出による検出結果にそれぞれ所定に重み付けをして上記盛り上がりシーンを検出することを特徴とするダイジェスト映像提供装置。
【請求項３２】
請求項３１に記載のダイジェスト映像提供装置において、
上記第１、第２および第３の検出結果に対する上記重み付けの比率は、上記テレビジョン放送の番組ジャンルに応じて可変とするようにしたことを特徴とするダイジェスト映像提供装置。
【請求項３３】
請求項２０に記載のダイジェスト映像提供装置において、
上記盛り上がりシーン検出手段は、検出された上記盛り上がりシーンの期間に対して時間的に前後に所定のマージンを設けることを特徴とするダイジェスト映像提供装置。
【請求項３４】
請求項２０に記載のダイジェスト映像提供装置において、
上記端末装置は、上記テレビジョン放送を受信する手段をさらに有し、上記ダイジェスト映像要求情報を、上記テレビジョン放送の受信中の放送番組を示す番組情報を含めて送信するようにされ、
受信された、該番組情報が含められた該ダイジェスト映像要求情報に応じて、該ダイジェスト映像要求情報に含まれる上記番組情報に示される上記テレビジョン放送の放送番組から検出された上記盛り上がりシーンに対応する映像データを上記ダイジェスト映像として上記通信手段で上記端末装置に向けて送信するようにしたことを特徴とするダイジェスト映像提供装置。
【請求項３５】
請求項２０に記載のダイジェスト映像提供装置において、
上記制御手段は、上記ダイジェスト映像要求情報に応じて送信する上記ダイジェスト映像に対してコマーシャル映像またはコマーシャル画像を付加して上記端末装置に送信するようにしたことを特徴とするダイジェスト映像提供装置。
【請求項３６】
請求項３５に記載のダイジェスト映像提供装置において、
上記コマーシャル映像または上記コマーシャル画像は、上記ダイジェスト映像の時間的に先頭側に付加されることを特徴とするダイジェスト映像提供装置。
【請求項３７】
請求項３５に記載のダイジェスト映像提供装置において、
上記コマーシャル映像または上記コマーシャル画像は、上記ダイジェスト映像による画面の一部に付加されることを特徴とするダイジェスト映像提供装置。
【請求項３８】
テレビジョン放送を受信する受信のステップと、
上記受信のステップで受信された上記テレビジョン放送中の盛り上がりシーンを自動的に検出する盛り上がりシーン検出のステップと、
通信網を介して通信を行う通信のステップと、
通信網を介して通信を行うステップと、少なくとも個体を識別する識別情報とダイジェスト映像を要求するダイジェスト映像要求情報とを上記通信を行うステップにより送信するステップとを有する端末装置から送信され上記通信のステップで受信された上記ダイジェスト映像要求情報に応じて、上記盛り上がりシーン検出のステップで検出された上記盛り上がりシーンに対応する映像データを上記ダイジェスト映像として上記通信のステップで上記端末装置に向けて送信する制御のステップと
を有するダイジェスト映像提供方法。
【請求項３９】
通信網を介して通信を行う通信手段と、
少なくとも個体を識別する識別情報とダイジェスト映像を要求するダイジェスト映像要求情報とを上記通信手段により送信する送信手段と
を有し、
受信されたテレビジョン放送中の盛り上がりシーンを自動的に検出し、検出された上記盛り上がりシーンに対応する映像データを上記ダイジェスト映像として上記通信網を介して送信するダイジェスト映像提供装置に向けて、上記送信手段により上記ダイジェスト映像要求情報を送信し、該ダイジェスト映像要求情報に応じて、上記ダイジェスト映像提供装置から上記通信網を介して送信された上記ダイジェスト映像を上記通信手段で受信するようにしたことを特徴とする端末装置。
【請求項４０】
請求項３９に記載の端末装置において、
上記ダイジェスト映像要求情報に応じて、上記ダイジェスト映像提供装置側で検出された上記盛り上がりシーンに基づくリストが上記通信網を介して提示され、該リストに基づき上記ダイジェスト映像提供装置に対して上記ダイジェスト映像を要求することを特徴とする端末装置。
【請求項４１】
請求項４０に記載の端末装置において。
上記通信網はインターネットであって、上記リストは、上記インターネット上のＷｅｂページとして上記提示されることを特徴とする端末装置。
【請求項４２】
請求項３９に記載の端末装置において、
上記テレビジョン放送を受信する受信手段をさらに有し、
上記テレビジョン放送の上記受信手段で受信中の放送番組を示す番組情報を上記ダイジェスト映像要求情報に含めて送信するようにしたことを特徴とする端末装置。
【請求項４３】
通信網を介して通信を行う通信のステップと、
少なくとも個体を識別する識別情報とダイジェスト映像を要求するダイジェスト映像要求情報とを上記通信のステップにより送信する送信のステップと
を有し、
受信されたテレビジョン放送中の盛り上がりシーンを自動的に検出し、検出された上記盛り上がりシーンに対応する映像データを上記ダイジェスト映像として上記通信網を介して送信するダイジェスト映像提供装置に向けて、上記送信のステップにより上記ダイジェスト映像要求情報を送信し、該ダイジェスト映像要求情報に応じて、上記ダイジェスト映像提供装置から上記通信網を介して送信された上記ダイジェスト映像を上記通信のステップで受信するようにしたことを特徴とするダイジェスト映像要求方法。
【請求項４４】
通信網を介して通信を行う第１の通信手段と、少なくとも個体を識別する識別情報とダイジェスト映像を要求するダイジェスト映像要求情報とを上記第１の通信手段により送信する送信手段とを有する端末装置と、
テレビジョン放送を受信する受信手段と、上記受信手段で受信された上記テレビジョン放送中の盛り上がりシーンを自動的に検出する盛り上がりシーン検出手段と、上記通信網を介して通信を行う第２の通信手段と、上記端末装置から送信され上記第２の通信手段で受信された上記ダイジェスト映像要求情報に応じて、上記盛り上がりシーン検出手段で検出された上記盛り上がりシーンに対応する映像データを上記ダイジェスト映像として上記第２の通信手段で上記端末装置に向けて送信する制御手段とを有するダイジェスト映像提供装置と
を備え、
上記ダイジェスト映像提供装置の運用部は、上記端末装置に対して課金し、課金された該端末装置から上記ダイジェスト映像提供装置に対して送信された上記ダイジェスト映像要求情報に応じて上記ダイジェスト映像提供装置から上記ダイジェスト映像を該端末装置に送信可能とし、
上記ダイジェスト映像提供装置の運用部は、上記テレビジョン放送を放送する放映権所有部に対して上記テレビジョン放送による映像データの利用許諾料を支払うようにしたことを特徴とするダイジェスト映像供給システム。
【請求項４５】
通信網を介して通信を行う第１の通信手段と、少なくとも個体を識別する識別情報とダイジェスト映像を要求するダイジェスト映像要求情報とを上記第１の通信手段により送信する送信手段とを有する端末装置と、
テレビジョン放送を受信する受信手段と、上記受信手段で受信された上記テレビジョン放送中の盛り上がりシーンを自動的に検出する盛り上がりシーン検出手段と、上記通信網を介して通信を行う第２の通信手段と、上記端末装置から送信され上記第２の通信手段で受信された上記ダイジェスト映像要求情報に応じて、上記盛り上がりシーン検出手段で検出された上記盛り上がりシーンに対応する映像データを上記ダイジェスト映像として上記第２の通信手段で上記端末装置に向けて送信する制御手段とを有するダイジェスト映像提供装置と
を備え、
上記ダイジェスト映像提供装置の運用部は、上記テレビジョン放送を放送する放映権所有部に対して課金して、上記放映権所有部が主体的に上記ダイジェスト映像提供装置を利用することを可能とし、
上記放映権所有部は、上記端末装置に対して課金し、課金された該端末装置から上記ダイジェスト映像提供装置に対して送信された上記ダイジェスト映像要求情報に応じて上記ダイジェスト映像提供装置から上記ダイジェスト映像を該端末装置に送信可能としたことを特徴とするダイジェスト映像供給システム。
【請求項４６】
通信網を介して通信を行う第１の通信手段と、少なくとも個体を識別する識別情報とダイジェスト映像を要求するダイジェスト映像要求情報とを上記第１の通信手段により送信する送信手段とを有する端末装置と、
テレビジョン放送を受信する受信手段と、上記受信手段で受信された上記テレビジョン放送中の盛り上がりシーンを自動的に検出する盛り上がりシーン検出手段と、上記通信網を介して通信を行う第２の通信手段と、上記端末装置から送信され上記第２の通信手段で受信された上記ダイジェスト映像要求情報に応じて、上記盛り上がりシーン検出手段で検出された上記盛り上がりシーンに対応する映像データを上記ダイジェスト映像として上記第２の通信手段で上記端末装置に向けて送信する制御手段とを有するダイジェスト映像提供装置と
を備え、
上記テレビジョン放送を放送する放映権所有部は、上記ダイジェスト映像提供装置を運用すると共に、上記端末装置に対して課金し、課金された該端末装置から上記ダイジェスト映像提供装置に対して送信された上記ダイジェスト映像要求情報に応じて上記ダイジェスト映像提供装置から上記ダイジェスト映像を該端末装置に送信可能としたことを特徴とするダイジェスト映像供給システム。
【請求項４７】
通信網を介して通信を行う第１の通信手段と、少なくとも個体を識別する識別情報とダイジェスト映像を要求するダイジェスト映像要求情報とを上記第１の通信手段により送信する送信手段とを有する端末装置と、
テレビジョン放送を受信する受信手段と、上記受信手段で受信された上記テレビジョン放送中の盛り上がりシーンを自動的に検出する盛り上がりシーン検出手段と、上記通信網を介して通信を行う第２の通信手段と、上記端末装置から送信され上記第２の通信手段で受信された上記ダイジェスト映像要求情報に応じて、上記盛り上がりシーン検出手段で検出された上記盛り上がりシーンに対応する映像データを上記ダイジェスト映像とし、該ダイジェスト映像に対してコマーシャル映像またはコマーシャル画像を付加して上記第２の通信手段で上記端末装置に向けて送信する制御手段とを有するダイジェスト映像提供装置と
を備え、
上記ダイジェスト映像提供装置の運用部は、上記テレビジョン放送を放送する放映権所有部から上記コマーシャル映像または上記コマーシャル画像の提供部から該放映権所有部に対して支払われる広告媒体料の一部を支払われることにより、上記ダイジェスト映像に対して上記コマーシャル映像またはコマーシャル画像を付加して、上記ダイジェスト映像提供装置から上記端末装置に送信し、
上記端末装置は、上記ダイジェスト映像提供装置の運用部または上記放映権所有部から課金されること無しに、該端末装置から上記ダイジェスト映像提供装置に対して送信した上記ダイジェスト映像要求情報に応じた上記ダイジェスト映像を、上記ダイジェスト映像提供装置から送信されることを特徴とするダイジェスト映像提供システム。
【請求項４８】
通信網を介して通信を行う第１の通信手段と、少なくとも個体を識別する識別情報とダイジェスト映像を要求するダイジェスト映像要求情報とを上記第１の通信手段により送信する送信手段とを有する端末装置と、
テレビジョン放送を受信する受信手段と、上記受信手段で受信された上記テレビジョン放送中の盛り上がりシーンを自動的に検出する盛り上がりシーン検出手段と、上記通信網を介して通信を行う第２の通信手段と、上記端末装置から送信され上記第２の通信手段で受信された上記ダイジェスト映像要求情報に応じて、上記盛り上がりシーン検出手段で検出された上記盛り上がりシーンに対応する映像データを上記ダイジェスト映像とし、該ダイジェスト映像に対してコマーシャル映像またはコマーシャル画像を付加して上記第２の通信手段で上記端末装置に向けて送信する制御手段とを有するダイジェスト映像提供装置と
を備え、
上記ダイジェスト映像提供装置の運用部は、上記テレビジョン放送を放送する放映権所有部に対して課金して、上記放映権所有部が主体的に上記ダイジェスト映像提供装置を利用することを可能とし、
上記放映権所有部は、上記コマーシャル映像または上記コマーシャル画像の提供部から広告媒体料を支払われ、
上記端末装置は、上記ダイジェスト映像提供装置の運用部または上記放映権所有部から課金されること無しに、該端末装置から上記ダイジェスト映像提供装置に対して送信した上記ダイジェスト映像要求情報に応じた上記ダイジェスト映像を、上記ダイジェスト映像提供装置から送信されることを特徴とするダイジェスト映像提供システム。
【請求項４９】
通信網を介して通信を行う第１の通信手段と、少なくとも個体を識別する識別情報とダイジェスト映像を要求するダイジェスト映像要求情報とを上記第１の通信手段により送信する送信手段とを有する端末装置と、
テレビジョン放送を受信する受信手段と、上記受信手段で受信された上記テレビジョン放送中の盛り上がりシーンを自動的に検出する盛り上がりシーン検出手段と、上記通信網を介して通信を行う第２の通信手段と、上記端末装置から送信され上記第２の通信手段で受信された上記ダイジェスト映像要求情報に応じて、上記盛り上がりシーン検出手段で検出された上記盛り上がりシーンに対応する映像データを上記ダイジェスト映像とし、該ダイジェスト映像に対してコマーシャル映像またはコマーシャル画像を付加して上記第２の通信手段で上記端末装置に向けて送信する制御手段とを有するダイジェスト映像提供装置と
を備え、
上記テレビジョン放送を放送する放映権所有部は、上記ダイジェスト映像提供装置を運用すると共に、上記コマーシャル映像または上記コマーシャル画像の提供部から広告媒体料を支払われ、
上記端末装置は、上記放映権所有部から課金されること無しに、該端末装置から上記ダイジェスト映像提供装置に対して送信した上記ダイジェスト映像要求情報に応じた上記ダイジェスト映像を、上記ダイジェスト映像提供装置から送信されることを特徴とするダイジェスト映像提供システム。
【発明の詳細な説明】
【技術分野】
【０００１】
この発明は、テレビジョン放送番組を要約したダイジェスト映像を提供するダイジェスト映像提供システム、ダイジェスト映像提供装置および方法、ならびに、端末装置およびダイジェスト映像要求方法に関する。
【背景技術】
【０００２】
近年では、通信技術の発達や携帯電話装置などの携帯端末装置の高機能化によって、携帯端末装置を用いてインターネットなどの通信ネットワークに接続できるようになったばかりか、非特許文献１に記載されるように、テレビジョンチューナを内蔵し、地上ディジタル放送などのテレビジョン放送を受信可能な携帯端末装置も開発が進んでいる。以下、インターネットに接続可能で、且つ、テレビジョン放送の受信が可能とされた携帯端末装置を、ＴＶ付き携帯端末装置と呼ぶ。ＴＶ付き携帯端末装置は、製品化後は、急速に普及するものと考えられる。
【非特許文献１】蓬田  宏樹、田中  正晴、「デジタル・テレビ手のひらに載る」、日経エレクトロニクス、日経ＢＰ社、平成１５年８月１８日、ｐ８９−１１２
【発明の開示】
【発明が解決しようとする課題】
【０００３】
ところで、何かの都合で見られなくなった番組を放送後に視聴しようとした場合、その番組を、番組情報などに基づき予め予約録画しておく必要がある。ここで、上述したＴＶ付き携帯端末装置が予約録画機能を有していない場合には、別途、自宅などにおいて、ネットワーク接続型の録画再生機といった、特別な機器を用意する必要があるという問題点があった。
【０００４】
また、ＴＶ付き携帯端末装置が録画予約機能を有していたり、ネットワーク接続型の録画再生機を保有している場合でも、予め予約録画を行っている番組しか視聴できず、不便であった。例えば、たまたま視聴している番組を気に入ったが、何かの都合でその番組の視聴を中断せざるを得なくなったような場合、その番組の放送後に、その番組の視聴を中断した時刻以降の内容を視聴することは、困難であった。
【０００５】
一方、地上ディジタル放送などの場合、パケット通信によるデータ放送を用いて、放送後の番組を配信するサービスが考えられる。データ放送をＴＶ付き携帯端末装置で受信し、移動中などに視聴することが可能である。また、ＴＶ付き携帯端末装置のインターネット接続機能を用いて、インターネット経由で放送後の番組データを受信することも考えられる。しかしながら、放送後にその番組の全長を視聴することは、ユーザにとって苦痛になることがあるという問題点があった。
【０００６】
例えば、放送時間で３時間にわたる当日のプロ野球中継番組を終了後、帰宅途中などでＴＶ付き携帯端末装置を用いてその試合の中継を視聴したい場合を考える。この場合、全放送時間の３時間を通して視聴するだけの時間的な余裕がない、３時間分の映像および音声データをインターネットを介して受信する場合、通信時間と通信に要するコストが嵩む、などの問題点があった。
【０００７】
また、特に上述の野球中継のようなスポーツ番組の場合、番組の全長を視聴することは必ずしも必要ではなく、得点シーンなどの重要シーンを要約したダイジェスト版を視聴できれば十分である場合が多い。主要なシーンが要約されたダイジェスト版を視聴できれば、短い視聴時間で必要な情報を効率よく得ることができる。しかしながら、ダイジェスト版を視聴する場合、録画機能や録画設備が必要になるばかりでなく、別途、ダイジェスト版を作成するための編集作業が必要になり、非常に手間がかかるという問題点があった。
【０００８】
したがって、この発明の目的は、放送後の番組または放送中の番組のダイジェスト映像を容易に視聴できるダイジェスト映像提供システム、ダイジェスト映像提供装置および方法、ならびに、端末装置およびダイジェスト映像要求方法を提供することにある。
【課題を解決するための手段】
【０００９】
上述した課題を解決するために、請求項１に記載の発明は、通信網を介して通信を行う第１の通信手段と、少なくとも個体を識別する識別情報とダイジェスト映像を要求するダイジェスト映像要求情報とを第１の通信手段により送信する送信手段とを有する端末装置と、テレビジョン放送を受信する第１の受信手段と、第１の受信手段で受信されたテレビジョン放送中の盛り上がりシーンを自動的に検出する盛り上がりシーン検出手段と、通信網を介して通信を行う第２の通信手段と、端末装置から送信され第２の通信手段で受信されたダイジェスト映像要求情報に応じて、盛り上がりシーン検出手段で検出された盛り上がりシーンに対応する映像データをダイジェスト映像として第２の通信手段で端末装置に向けて送信する制御手段とを有するダイジェスト映像提供装置とを備えることを特徴とするダイジェスト映像提供システムである。
【００１０】
また、請求項１９に記載の発明は、端末装置側から通信網を介して通信を行う第１の通信のステップと、少なくとも個体を識別する識別情報とダイジェスト映像を要求するダイジェスト映像要求情報とを第１の通信のステップにより端末装置から送信する送信のステップと、ダイジェスト映像提供装置側でテレビジョン放送を受信する受信のステップと、ダイジェスト映像提供装置側で受信のステップで受信されたテレビジョン放送中の盛り上がりシーンを自動的に検出する盛り上がりシーン検出のステップと、通信網を介して通信を行う第２の通信ステップと、端末装置から送信され第２の通信のステップで受信されたダイジェスト映像要求情報に応じて、盛り上がりシーン検出のステップで検出された盛り上がりシーンに対応する映像データをダイジェスト映像として第２の通信のステップでダイジェスト映像提供装置から端末装置に向けて送信する制御のステップとを備えることを特徴とするダイジェスト映像提供方法である。
【００１１】
また、請求項２０に記載の発明は、テレビジョン放送を受信する受信手段と、受信手段で受信されたテレビジョン放送中の盛り上がりシーンを自動的に検出する盛り上がりシーン検出手段と、通信網を介して通信を行う通信手段と、通信網を介して通信を行う手段と、少なくとも個体を識別する識別情報とダイジェスト映像を要求するダイジェスト映像要求情報とを通信を行う手段により送信する手段とを有する端末装置から送信され通信手段で受信されたダイジェスト映像要求情報に応じて、盛り上がりシーン検出手段で検出された盛り上がりシーンに対応する映像データをダイジェスト映像として通信手段で端末装置に向けて送信する制御手段とを有するダイジェスト映像提供装置である。
【００１２】
また、請求項３８に記載の発明は、テレビジョン放送を受信する受信のステップと、受信のステップで受信されたテレビジョン放送中の盛り上がりシーンを自動的に検出する盛り上がりシーン検出のステップと、通信網を介して通信を行う通信のステップと、通信網を介して通信を行うステップと、少なくとも個体を識別する識別情報とダイジェスト映像を要求するダイジェスト映像要求情報とを通信を行うステップにより送信するステップとを有する端末装置から送信され通信のステップで受信されたダイジェスト映像要求情報に応じて、盛り上がりシーン検出のステップで検出された盛り上がりシーンに対応する映像データをダイジェスト映像として通信のステップで端末装置に向けて送信する制御のステップとを有するダイジェスト映像提供方法である。
【００１３】
また、請求項３９に記載の発明は、通信網を介して通信を行う通信手段と、少なくとも個体を識別する識別情報とダイジェスト映像を要求するダイジェスト映像要求情報とを通信手段により送信する送信手段とを有し、受信されたテレビジョン放送中の盛り上がりシーンを自動的に検出し、検出された盛り上がりシーンに対応する映像データをダイジェスト映像として通信網を介して送信するダイジェスト映像提供装置に向けて、送信手段によりダイジェスト映像要求情報を送信し、ダイジェスト映像要求情報に応じて、ダイジェスト映像提供装置から通信網を介して送信されたダイジェスト映像を通信手段で受信するようにしたことを特徴とする端末装置である。
【００１４】
また、請求項４３に記載の発明は、通信網を介して通信を行う通信のステップと、少なくとも個体を識別する識別情報とダイジェスト映像を要求するダイジェスト映像要求情報とを通信のステップにより送信する送信のステップとを有し、受信されたテレビジョン放送中の盛り上がりシーンを自動的に検出し、検出された盛り上がりシーンに対応する映像データをダイジェスト映像として通信網を介して送信するダイジェスト映像提供装置に向けて、送信のステップによりダイジェスト映像要求情報を送信し、ダイジェスト映像要求情報に応じて、ダイジェスト映像提供装置から通信網を介して送信されたダイジェスト映像を通信のステップで受信するようにしたことを特徴とするダイジェスト映像要求方法である。
【００１５】
また、請求項４４に記載の発明は、通信網を介して通信を行う第１の通信手段と、少なくとも個体を識別する識別情報とダイジェスト映像を要求するダイジェスト映像要求情報とを第１の通信手段により送信する送信手段とを有する端末装置と、テレビジョン放送を受信する受信手段と、受信手段で受信されたテレビジョン放送中の盛り上がりシーンを自動的に検出する盛り上がりシーン検出手段と、通信網を介して通信を行う第２の通信手段と、端末装置から送信され第２の通信手段で受信されたダイジェスト映像要求情報に応じて、盛り上がりシーン検出手段で検出された盛り上がりシーンに対応する映像データをダイジェスト映像として第２の通信手段で端末装置に向けて送信する制御手段とを有するダイジェスト映像提供装置とを備え、ダイジェスト映像提供装置の運用部は、端末装置に対して課金し、課金された端末装置からダイジェスト映像提供装置に対して送信されたダイジェスト映像要求情報に応じてダイジェスト映像提供装置からダイジェスト映像を端末装置に送信可能とし、ダイジェスト映像提供装置の運用部は、テレビジョン放送を放送する放映権所有部に対してテレビジョン放送による映像データの利用許諾料を支払うようにしたことを特徴とするダイジェスト映像供給システムである。
【００１６】
また、請求項４５に記載の発明は、通信網を介して通信を行う第１の通信手段と、少なくとも個体を識別する識別情報とダイジェスト映像を要求するダイジェスト映像要求情報とを第１の通信手段により送信する送信手段とを有する端末装置と、テレビジョン放送を受信する受信手段と、受信手段で受信されたテレビジョン放送中の盛り上がりシーンを自動的に検出する盛り上がりシーン検出手段と、通信網を介して通信を行う第２の通信手段と、端末装置から送信され第２の通信手段で受信されたダイジェスト映像要求情報に応じて、盛り上がりシーン検出手段で検出された盛り上がりシーンに対応する映像データをダイジェスト映像として第２の通信手段で端末装置に向けて送信する制御手段とを有するダイジェスト映像提供装置とを備え、ダイジェスト映像提供装置の運用部は、テレビジョン放送を放送する放映権所有部に対して課金して、放映権所有部が主体的にダイジェスト映像提供装置を利用することを可能とし、放映権所有部は、端末装置に対して課金し、課金された端末装置からダイジェスト映像提供装置に対して送信されたダイジェスト映像要求情報に応じてダイジェスト映像提供装置からダイジェスト映像を端末装置に送信可能としたことを特徴とするダイジェスト映像供給システムである。
【００１７】
また、請求項４６に記載の発明は、通信網を介して通信を行う第１の通信手段と、少なくとも個体を識別する識別情報とダイジェスト映像を要求するダイジェスト映像要求情報とを第１の通信手段により送信する送信手段とを有する端末装置と、テレビジョン放送を受信する受信手段と、受信手段で受信されたテレビジョン放送中の盛り上がりシーンを自動的に検出する盛り上がりシーン検出手段と、通信網を介して通信を行う第２の通信手段と、端末装置から送信され第２の通信手段で受信されたダイジェスト映像要求情報に応じて、盛り上がりシーン検出手段で検出された盛り上がりシーンに対応する映像データをダイジェスト映像として第２の通信手段で端末装置に向けて送信する制御手段とを有するダイジェスト映像提供装置とを備え、テレビジョン放送を放送する放映権所有部は、ダイジェスト映像提供装置を運用すると共に、端末装置に対して課金し、課金された端末装置からダイジェスト映像提供装置に対して送信されたダイジェスト映像要求情報に応じてダイジェスト映像提供装置からダイジェスト映像を端末装置に送信可能としたことを特徴とするダイジェスト映像供給システムである。
【００１８】
また、請求項４７に記載の発明は、通信網を介して通信を行う第１の通信手段と、少なくとも個体を識別する識別情報とダイジェスト映像を要求するダイジェスト映像要求情報とを第１の通信手段により送信する送信手段とを有する端末装置と、テレビジョン放送を受信する受信手段と、受信手段で受信されたテレビジョン放送中の盛り上がりシーンを自動的に検出する盛り上がりシーン検出手段と、通信網を介して通信を行う第２の通信手段と、端末装置から送信され第２の通信手段で受信されたダイジェスト映像要求情報に応じて、盛り上がりシーン検出手段で検出された盛り上がりシーンに対応する映像データをダイジェスト映像とし、ダイジェスト映像に対してコマーシャル映像またはコマーシャル画像を付加して第２の通信手段で端末装置に向けて送信する制御手段とを有するダイジェスト映像提供装置とを備え、ダイジェスト映像提供装置の運用部は、テレビジョン放送を放送する放映権所有部からコマーシャル映像またはコマーシャル画像の提供部から放映権所有部に対して支払われる広告媒体料の一部を支払われることにより、ダイジェスト映像に対してコマーシャル映像またはコマーシャル画像を付加して、ダイジェスト映像提供装置から端末装置に送信し、端末装置は、ダイジェスト映像提供装置の運用部または放映権所有部から課金されること無しに、端末装置からダイジェスト映像提供装置に対して送信したダイジェスト映像要求情報に応じたダイジェスト映像を、ダイジェスト映像提供装置から送信されることを特徴とするダイジェスト映像提供システムである。
【００１９】
また、請求項４８に記載の発明は、通信網を介して通信を行う第１の通信手段と、少なくとも個体を識別する識別情報とダイジェスト映像を要求するダイジェスト映像要求情報とを第１の通信手段により送信する送信手段とを有する端末装置と、テレビジョン放送を受信する受信手段と、受信手段で受信されたテレビジョン放送中の盛り上がりシーンを自動的に検出する盛り上がりシーン検出手段と、通信網を介して通信を行う第２の通信手段と、端末装置から送信され第２の通信手段で受信されたダイジェスト映像要求情報に応じて、盛り上がりシーン検出手段で検出された盛り上がりシーンに対応する映像データをダイジェスト映像とし、ダイジェスト映像に対してコマーシャル映像またはコマーシャル画像を付加して第２の通信手段で端末装置に向けて送信する制御手段とを有するダイジェスト映像提供装置とを備え、ダイジェスト映像提供装置の運用部は、テレビジョン放送を放送する放映権所有部に対して課金して、放映権所有部が主体的にダイジェスト映像提供装置を利用することを可能とし、放映権所有部は、コマーシャル映像またはコマーシャル画像の提供部から広告媒体料を支払われ、端末装置は、ダイジェスト映像提供装置の運用部または放映権所有部から課金されること無しに、端末装置からダイジェスト映像提供装置に対して送信したダイジェスト映像要求情報に応じたダイジェスト映像を、ダイジェスト映像提供装置から送信されることを特徴とするダイジェスト映像提供システムである。
【００２０】
また、請求項４９に記載の発明は、通信網を介して通信を行う第１の通信手段と、少なくとも個体を識別する識別情報とダイジェスト映像を要求するダイジェスト映像要求情報とを第１の通信手段により送信する送信手段とを有する端末装置と、テレビジョン放送を受信する受信手段と、受信手段で受信されたテレビジョン放送中の盛り上がりシーンを自動的に検出する盛り上がりシーン検出手段と、通信網を介して通信を行う第２の通信手段と、端末装置から送信され第２の通信手段で受信されたダイジェスト映像要求情報に応じて、盛り上がりシーン検出手段で検出された盛り上がりシーンに対応する映像データをダイジェスト映像とし、ダイジェスト映像に対してコマーシャル映像またはコマーシャル画像を付加して第２の通信手段で端末装置に向けて送信する制御手段とを有するダイジェスト映像提供装置とを備え、テレビジョン放送を放送する放映権所有部は、ダイジェスト映像提供装置を運用すると共に、コマーシャル映像またはコマーシャル画像の提供部から広告媒体料を支払われ、端末装置は、放映権所有部から課金されること無しに、端末装置からダイジェスト映像提供装置に対して送信したダイジェスト映像要求情報に応じたダイジェスト映像を、ダイジェスト映像提供装置から送信されることを特徴とするダイジェスト映像提供システムである。
【００２１】
上述したように、請求項１および請求項１９に記載の発明は、端末装置は、少なくとも個体を識別する識別情報とダイジェスト映像を要求するダイジェスト映像要求情報とを通信網を介して送信するようにされ、ダイジェスト映像提供装置は、端末装置から通信網を介して送信されたダイジェスト映像要求情報に応じて、受信されたテレビジョン放送中の盛り上がりシーンを自動的に検出した盛り上がりシーンに対応する映像データをダイジェスト映像として、通信網を介して端末装置に向けて送信するようにしているため、ユーザは、端末装置を用いてダイジェスト映像要求情報を送信するだけで、所望のダイジェスト映像を視聴することができる。
【００２２】
また、請求項２０および請求項３８に記載の発明は、受信されたテレビジョン放送中の盛り上がりシーンを自動的に検出し、端末装置から通信網を介して送信されたダイジェスト映像要求情報に応じて、検出された盛り上がりシーンに対応する映像データをダイジェスト映像として通信網を介して端末装置に送信するようにしているため、ユーザは、端末装置を用いてダイジェスト映像要求情報を送信するだけで、所望のダイジェスト映像を視聴することができる。
【００２３】
また、請求項３９および請求項４３に記載の発明は、少なくとも個体を識別する識別情報とダイジェスト映像を要求するダイジェスト映像要求情報とを、通信網を介して、受信されたテレビジョン放送中の盛り上がりシーンを検出し、通信網を介して送信されたダイジェスト映像要求情報に応じて、検出された盛り上がりシーンに対応する映像データをダイジェスト映像データとして通信網を介して送信するダイジェスト映像提供装置に対して送信するようにしているため、ユーザは、ダイジェスト映像要求情報を送信するだけで、ダイジェスト映像提供装置から所望のダイジェスト映像が送信される。
【００２４】
また、請求項４４に記載の発明は、受信されたテレビジョン放送中の盛り上がりシーンを自動的に検出し、検出された盛り上がりシーンに対応する映像データをダイジェスト映像として、少なくとも個体を識別する識別情報とダイジェスト映像を要求するダイジェスト映像要求情報とを通信網を介して送信する端末装置に向けて、通信網を介して送信するようにしたダイジェスト映像提供装置の運用部は、端末装置に対して課金し、課金された端末装置からダイジェスト映像提供装置に対して送信されたダイジェスト映像要求情報に応じてダイジェスト映像提供装置からダイジェスト映像を端末装置に送信可能とし、ダイジェスト映像提供装置の運用部は、テレビジョン放送を放送する放映権所有部に対してテレビジョン放送による映像データの利用許諾料を支払うようにしているため、ダイジェスト映像提供装置の運用部は、課金した端末装置の数に応じた収益を得ることができる。
【００２５】
また、請求項４５に記載の発明は、受信されたテレビジョン放送中の盛り上がりシーンを自動的に検出し、検出された盛り上がりシーンに対応する映像データをダイジェスト映像として、少なくとも個体を識別する識別情報とダイジェスト映像を要求するダイジェスト映像要求情報とを通信網を介して送信する端末装置に向けて、通信網を介して送信するようにしたダイジェスト映像提供装置の運用部は、テレビジョン放送を放送する放映権所有部に対して課金して、放映権所有部が主体的にダイジェスト映像提供装置を利用することを可能とし、放映権所有部は、端末装置に対して課金し、課金された端末装置からダイジェスト映像提供装置に対して送信されたダイジェスト映像要求情報に応じてダイジェスト映像提供装置からダイジェスト映像を端末装置に送信可能としているため、放映権所有部は、課金した端末装置の数に応じた収益を得ることができ、ダイジェスト映像提供装置の運用部は、端末装置によるダイジェスト映像提供装置の利用に応じた収益を得ることができる。
【００２６】
また、請求項４６に記載の発明は、テレビジョン放送を放送する放映権所有部は、受信されたテレビジョン放送中の盛り上がりシーンを自動的に検出し、検出された盛り上がりシーンに対応する映像データをダイジェスト映像として、少なくとも個体を識別する識別情報とダイジェスト映像を要求するダイジェスト映像要求情報とを通信網を介して送信する端末装置に向けて、通信網を介して送信するようにしたダイジェスト映像提供装置を運用すると共に、端末装置に対して課金し、課金された端末装置からダイジェスト映像提供装置に対して送信されたダイジェスト映像要求情報に応じてダイジェスト映像提供装置からダイジェスト映像を端末装置に送信可能としているため、放映権所有部は、課金した端末装置の数に応じた収益を得ることができる。
【００２７】
また、請求項４７に記載の発明は、受信されたテレビジョン放送中の盛り上がりシーンを自動的に検出し、検出された盛り上がりシーンに対応する映像データをダイジェスト映像とし、ダイジェスト映像に対してコマーシャル映像またはコマーシャル画像を付加して、少なくとも個体を識別する識別情報とダイジェスト映像を要求するダイジェスト映像要求情報とを通信網を介して送信する端末装置に向けて、通信網を介して送信するようにしたダイジェスト映像提供装置の運用部は、テレビジョン放送を放送する放映権所有部からコマーシャル映像またはコマーシャル画像の提供部から放映権所有部に対して支払われる広告媒体料の一部を支払われることにより、ダイジェスト映像に対してコマーシャル映像またはコマーシャル画像を付加して、ダイジェスト映像提供装置から端末装置に送信し、端末装置は、ダイジェスト映像提供装置の運用部または放映権所有部から課金されること無しに、端末装置からダイジェスト映像提供装置に対して送信したダイジェスト映像要求情報に応じたダイジェスト映像を、ダイジェスト映像提供装置から送信されるようにしているため、ダイジェスト映像提供装置の運用部は、端末装置による利用数に応じて、広告媒体料の一部による収益を得ることができる。
【００２８】
また、請求項４８に記載の発明は、受信されたテレビジョン放送中の盛り上がりシーンを自動的に検出し、検出された盛り上がりシーンに対応する映像データをダイジェスト映像とし、ダイジェスト映像に対してコマーシャル映像またはコマーシャル画像を付加して、少なくとも個体を識別する識別情報とダイジェスト映像を要求するダイジェスト映像要求情報とを通信網を介して送信する端末装置に向けて、通信網を介して送信するようにしたダイジェスト映像提供装置の運用部は、テレビジョン放送を放送する放映権所有部に対して課金して、放映権所有部が主体的にダイジェスト映像提供装置を利用することを可能とし、放映権所有部は、コマーシャル映像またはコマーシャル画像の提供部から広告媒体料を支払われ、端末装置は、ダイジェスト映像提供装置の運用部または放映権所有部から課金されること無しに、端末装置からダイジェスト映像提供装置に対して送信したダイジェスト映像要求情報に応じたダイジェスト映像を、ダイジェスト映像提供装置から送信されるようにしているため、ダイジェスト映像提供装置の運用部は、端末装置によるダイジェスト映像提供装置の利用数に応じて収益を得ることができる。
【００２９】
また、請求項４９に記載の発明は、テレビジョン放送を放送する放映権所有部は、受信されたテレビジョン放送中の盛り上がりシーンを自動的に検出し、検出された盛り上がりシーンに対応する映像データをダイジェスト映像とし、ダイジェスト映像に対してコマーシャル映像またはコマーシャル画像を付加して、少なくとも個体を識別する識別情報とダイジェスト映像を要求するダイジェスト映像要求情報とを通信網を介して送信する端末装置に向けて、通信網を介して送信するようにしたダイジェスト映像提供装置を運用すると共に、コマーシャル映像またはコマーシャル画像の提供部から広告媒体料を支払われ、端末装置は、放映権所有部から課金されること無しに、端末装置からダイジェスト映像提供装置に対して送信したダイジェスト映像要求情報に応じたダイジェスト映像を、ダイジェスト映像提供装置から送信されるようにしているため、放映権所有部は、端末装置によるダイジェスト映像提供装置の利用数に応じて広告媒体料による収益を得ることができる。
【発明の効果】
【００３０】
この発明は、ダイジェスト映像サーバでは、各放送局で放送されたテレビジョン放送について、盛り上がりシーンを自動検出し、携帯端末装置からインターネットなどの通信網を介して送信されたダイジェスト映像要求情報に応じて、盛り上がりシーンに対応する映像データをダイジェスト映像として、通信網を介して携帯端末装置に送信するようにしている。そのため、ユーザは、番組放送終了後でも、その番組の映像を、所望の時刻に携帯端末装置を用いて視聴することができるという効果がある。
【００３１】
また、ダイジェスト映像サーバから送信される映像は、放送中から検出された盛り上がりシーンに対応する映像データによるダイジェスト映像なので、長時間にわたって放送される番組も、短い時間で効率的に視聴することができるという効果がある。
【発明を実施するための最良の形態】
【００３２】
以下、この発明の実施の一形態を、図面を参照しながら説明する。図１は、この発明の実施の一形態によるダイジェスト映像提供システムを説明するための図である。ダイジェスト映像サーバ１は、各放送局で放送されたテレビジョン放送を受信して映像および音声信号を出力するＴＶ（テレビジョン）チューナ１０と、キャプチャおよび盛り上がりシーン自動検出エンジン１１（以下、盛り上がりシーン検出エンジン１１と略称する）と、記録部１２と、ダイジェスト管理サーバ１４とを有する。
【００３３】
ダイジェスト映像サーバ１は、ＴＶチューナ１０で各局のテレビジョン放送を受信し、受信されたテレビジョン放送による映像データおよび音声データを、記録部１２で継続的に記録する。それと共に、ダイジェスト映像サーバ１は、盛り上がりシーン検出エンジン１１で、テレビジョン放送中で盛り上がっているシーンを検出し、検出された盛り上がりシーンが放送された時刻を示す時刻情報と、そのシーンを含む番組を放送した放送局の情報とからなる盛り上がりシーン情報１３を、ダイジェスト管理サーバ１４で管理する。
【００３４】
盛り上がりシーンの例としては、例えばスポーツ中継番組であれば、野球やサッカーなどの球技の場合の得点シーンや、相撲など格闘技で技が決まったシーンなどが挙げられる。また、バラエティ番組やトーク番組などでも、拍手や歓声が上がり盛り上がるシーンが多く見受けられる。この実施の一形態では、盛り上がりシーン検出エンジン１１により、テレビジョン放送の音声信号を用いて番組中の歓声や拍手を検出することで、盛り上がりシーンの検出を行っている。盛り上がりシーンを抽出した映像および音声を、ダイジェスト映像と呼ぶ。
【００３５】
また、盛り上がりシーン検出エンジン１１は、拍手や歓声らしさの指標を数値化して求める。この指標は、すなわち、検出された盛り上がりシーンにおける盛り上がりの度合いを示すものと考えられ、以下では、盛り上がり度と呼ぶ。
【００３６】
盛り上がりシーン検出エンジン１１は、上述に限らず、例えば受信されたテレビジョン放送番組が歌番組などの場合、音楽が流れているシーンを盛り上がりシーンとして検出することもできる。
【００３７】
一方、ユーザは、インターネットなどの通信網を介しての通信機能と、映像データの表示機能とを有する携帯端末装置２を用いてダイジェスト映像サーバ１にアクセスし、ダイジェスト映像を見たい番組を指定する（ＳＥＱ１０）。指定は、例えば、番組の放送局情報（受信チャンネルなど）と放送時刻とをダイジェスト映像サーバ１に送信してもよいし、ダイジェスト映像サーバ１側で、各放送局で放送された番組や、ダイジェスト映像が存在する番組を一覧した番組表を作成し、アクセスしてきたユーザの携帯端末装置２に表示させることもできる。
【００３８】
なお、携帯端末装置２としては、インターネットを介しての通信機能を有する携帯電話端末を用いることができる。この実施の一形態においては、携帯端末装置２がテレビジョン放送の受信機能を有していると、より好ましい。
【００３９】
ダイジェスト映像サーバ１は、この指定に応じて、指定された時刻に指定された放送局で放送されたテレビジョン放送番組から検出された盛り上がりシーンのリストを作成し、携帯端末装置２に対して送信する（ＳＥＱ１１）。このリストは、例えばインターネット上のＷｅｂページとして作成され、図示されないＷｅｂサーバ上に置かれる。携帯端末装置２に対しては、当該ＷｅｂページのＵＲＬ(Uniform Resource Locator)が送信される。なお、Ｗｅｂページは、周知のように、ブラウザソフトウェアの１画面に、ＨＴＭＬ(Hyper Text Markup Language)に基づき記述されたレイアウト情報に従い表示されるデータのまとまりをいう。この例では、携帯端末装置２がブラウザソフトウェアを搭載し、送信されたＵＲＬにブラウザソフトウェアでアクセスすると、そのＵＲＬに対応するＷｅｂページが携帯端末装置２の表示画面１５に表示される。
【００４０】
図２は、上述のダイジェスト映像の要求時に、ブラウザソフトウェアに表示されるＷｅｂページの表示例を示す。ダイジェスト映像サーバ１から送られたＵＲＬに携帯端末装置２でブラウザソフトウェアを用いてアクセスすると、ユーザにより指定された番組（スポーツ中継番組とする）の盛り上がりシーンのリスト１６Ｂが、携帯端末装置２の表示画面１５に表示される。リストされたそれぞれのシーンのリンク１９、１９、・・・には、盛り上がり度が「☆（星印）」の数で示されている。
【００４１】
ユーザは、盛り上がりシーンのリスト１６Ｂに基づき、所望の盛り上がりシーンのリンク１９を所定に指定し、ダイジェスト映像をダイジェスト映像サーバ１に対して要求する（ＳＥＱ１２）。このとき、例えば盛り上がり度を参考にすることができる。ダイジェスト映像サーバ１は、この要求に基づき、ダイジェスト管理サーバ１４によりダイジェスト映像を検索し、検索されたダイジェスト映像の頁遺贈データおよび音声データを所定にパケット化してパケット通信により携帯端末装置２に対して送信する（ＳＥＱ１３）。ユーザは、このパケットを携帯端末装置２で受信し、図２に示されるように、ダイジェスト映像１７を表示画面２０に表示させる。
【００４２】
なお、ユーザが放送局や放送時刻を指定せずに、携帯端末装置２からダイジェスト映像サーバ１に対してダイジェスト映像を要求することができる。この場合、例えばダイジェスト映像が存在する番組のリスト１６Ａが表示される。この例では、リスト１６Ａは、ダイジェスト映像が存在するスポーツ番組の、昨日と今日の２日分のリストとされている。リスト１６Ａの各番組にそれぞれ設けられたリンク１８、１８、・・・を所定に指定すると、対応する番組の盛り上がりシーンのリスト１６Ｂの表示に切り替わる。リストされたそれぞれのシーンには、盛り上がり度が示されている。
【００４３】
なお、リンクは、周知のように、Ｗｅｂページ中に他のＷｅｂページのＵＲＬを、所定の書式で記述したもので、ブラウザソフトウェアの機能により、そのＷｅｂページからＵＲＬが記述された他のＷｅｂページにアクセスすることができるようになっている。
【００４４】
図３は、携帯端末装置２の一例の構成を示す。制御部２８は、例えばＣＰＵ(Central Processing Unit)、ＲＡＭ(Random Access Memory)およびＲＯＭ(Read Only Memory)を有する。ＲＯＭは、ＣＰＵにより読み込まれ動作されるプログラムや、この携帯端末装置２の個体を識別するためのＩＤが予め記憶される。ブラウザソフトウェアも、ＲＯＭに記憶される。ＲＡＭは、ＣＰＵのワークメモリとして用いられる。ＣＰＵは、ＲＯＭに記憶されたプログラムを読み込み、プログラムに従い様々な処理を実行しコマンドの発行やデータの生成などを行い、この携帯端末装置２の全体を制御する。
【００４５】
操作部２９は、ユーザからの操作を受け付けるための様々なキーやスイッチなどの操作子が設けられる。操作部２９は、これらキーやスイッチに対するユーザからの操作に応じた制御信号を出力し、制御部２８に供給する。制御部２８は、操作部２９から供給された制御信号に基づき、プログラムに従い所定の処理を実行する。
【００４６】
この携帯端末装置は、インターネットとの通信機能を有する。インターネットとの通信は、アンテナ２４を用いて行われる。例えば、所定サイズに分割されそれぞれパケットに格納されたデータが、インターネットに対して宛先を携帯端末装置２として送信される。パケットは、例えば所定の基地局に受信され、基地局で所定の形式の通信電波に変調され、携帯端末装置２に向けて送信される。
【００４７】
この通信電波は、アンテナ２４で受信され、通信電波送受信部２５に供給される。通信電波送受信部２５は、供給された信号に対して、所定に復調処理、エラー訂正処理、復号処理などを施し、パケットからデータを取り出して所定に配列し、元のデータを復元する。通信電波送受信部２５から出力されたデータは、データ記憶再生部２６に供給される。データ記憶再生部２６は、制御部２８の制御に基づき、供給されたデータを、例えばフラッシュメモリといった不揮発性の記憶媒体２７に記憶する。
【００４８】
インターネットに対してデータを送信する際には、例えば、操作部２９に対する所定の操作に基づき制御部２８で送信データが生成され、この送信データが通信電波送受信部２５に供給される。通信電波送受信部２５は、供給された送信データを所定サイズに分割してそれぞれパケットに格納すると共に、所定に符号化処理、エラー訂正符号化処理、変調処理などを施し、通信可能な信号として出力する。この信号は、アンテナ２４から通信電波として送信される。
【００４９】
なお、この携帯端末装置２が対応可能なデータ通信方式は、特に限定されない。例えば、この携帯端末装置２が携帯電話装置であれば、ＧＳＭ(Global System for Mobile Communications))、ＰＤＣ(Personal Digital Cellular)、ＣＤＭＡ(Code Division Multiple Access)、Ｗ−ＣＤＭＡ(Wideband-CDMA)といった、携帯電話装置の通信規格を用いることができる。また、携帯電話装置の通信規格に限られず、Ｂｌｕｔｏｏｔｈや無線ＬＡＮ(Local Area Network)といったコンピュータ装置で多く用いられる通信規格を用いてもよい。
【００５０】
この携帯端末装置２は、記憶媒体２７に記憶されたデータを読み出し、例えばＬＣＤ(Liquid Crystal Display)を表示素子として用いた表示部２３（図１の表示画面１５に対応）に対して、読み出されたデータに応じた表示を行うことができる。データ記憶再生部２６は、制御部２８の制御に基づき、記憶媒体２７に記憶されたデータを読み出し、読み出されたデータの種類に応じて所定の処理を施す。また、制御部２８は、記憶媒体２７から読み出したデータに応じた表示を表示部２３に対して行う際、スイッチ２２に対し入力端２２Ｂを接続するように制御する。データ記憶再生部２６から出力されたデータは、スイッチ２２を介して表示部２３に供給され、所定の表示がなされる。
【００５１】
この携帯端末装置２は、テレビジョン放送の受信機能を持つことができる。例えば地上ディジタル放送によるテレビジョン放送電波は、アンテナ２０で受信され、放送電波受信部２１に供給される。放送電波受信部２１は、供給されたテレビジョン放送電波に対して所定に復調処理、エラー訂正処理などを施し、テレビジョン放送電波に基づく映像データおよび音声データを出力する。
【００５２】
放送電波受信部２１から出力された映像データは、制御部２８に制御されるスイッチ２２の入力端２２Ａに供給される。スイッチ２２において入力端２２Ａが選択されていれば、映像データは、表示部２３に供給され、テレビジョン放送番組の映像が表示素子に映出される。放送電波受信部２１から出力された音声データについても、同様にして図示されない音声出力部に供給され、再生音声とされる。
【００５３】
携帯端末装置２が対応可能なテレビジョン放送方式は、地上ディジタル放送に限定されない。例えば、アナログ方式のテレビジョン放送方式に対応するようにしてもよい。アナログ方式のテレビジョン放送方式としては、ＮＴＳＣ方式、ＰＡＬ、ＳＥＣＡＭが考えられる。また、ディジタル方式も、日本国内の地上ディジタル放送に限らず、他国の規格に対応させることが考えられる。
【００５４】
なお、上述では、この携帯端末装置２がテレビジョン放送電波受信用のアンテナ２０と、データ通信用のアンテナ２４とを有しているように説明したが、これはこの例に限定されない。例えば、アンテナ２０とアンテナ２４とは、外見上、１本のアンテナであるように構成される。
【００５５】
また、この発明の実施の一形態では、テレビジョン放送の受信機能は必須な機能ではなく、アンテナ２０、放送電波受信部２１およびスイッチ２２は、省略することができる。この場合、データ記憶再生部２６の出力は、表示部２３に直接的に供給されることになる。
【００５６】
さらに、制御部２８が有するＲＯＭとして、例えばＥＥＰＲＯＭ(Electrically Erasable Programmable Read Only Memory)といった、書き換え可能な記憶媒体を用い、記憶されるプログラムの更新や追加を可能とすることができる。更新や追加されるプログラムは、例えばインターネット２を介して送信され、アンテナ２４で受信される。これに限らず、制御部２８に対して例えばパーソナルコンピュータなどの外部の情報機器と有線または無線で通信するためのインターフェイスを接続し、このインターフェイスを介して更新や追加されるプログラムを供給するようにしてもよい。外部の情報機器からプログラムの追加や更新を行う場合には、更新や追加されたプログラムなどを、ＣＤ−ＲＯＭ(Compact Disc-Read Only Memory)やＤＶＤ−ＲＯＭ(Digital Versatile Disc-ROM)といった記録媒体に予め記録して提供することができる。
【００５７】
図４は、ダイジェスト映像サーバ１１の一例の構成を示す。テレビジョン放送電波がアンテナ４０で受信され、放送電波受信部４１（図１のＴＶチューナ１０に対応）に供給される。放送電波受信部４１は、供給されたテレビジョン放送電波に対して所定に復調処理などを施し、テレビジョン放送電波に基づく映像データおよび音声データを出力する。一例として、放送電波受信部４１は、各放送局や各放送チャンネルについてそれぞれ設けられ、また、ディジタル方式およびアナログ方式のテレビジョン放送に対してそれぞれ設けられる。
【００５８】
アナログ方式のテレビジョン放送は、放送電波受信部４１で復調されアナログ映像信号およびアナログ音声信号とされた後、Ａ／Ｄ変換され、映像データおよび音声データとされる。ディジタル方式のテレビジョン放送の場合、放送電波受信部４１は、受信信号を復調して得られたストリームデータをそのまま出力してもよいし、ストリームデータから映像データおよび音声データを取り出してもよい。
【００５９】
放送電波受信部４１から出力された映像データおよび音声データは、映像記録再生部４２に供給され、後述する制御部４５の制御に基づき、例えばハードディスクからなる記録媒体４３に記録される。映像記録再生部４２および記録媒体４３は、図１の記録部１２に対応する。映像記録再生部４２は、映像データおよび音声データと、当該映像データおよび音声データが放送された時刻を示す放送時刻情報とが対応付けて、記録媒体４３に記録する。放送時刻情報は、例えば、映像データのフレーム毎に対応付けられる。
【００６０】
映像記録再生部４２は、映像データおよび音声データを所定に圧縮符号化して記録媒体４３に記録する。圧縮符号化は、データレートがインターネット２での通信に適するように行われる。圧縮符号化方式は、特に限定しないが、ＭＰＥＧ(Moving Pictures Experts Group)４  ＡＶＣ｜Ｈ．２６４やＭＰＥＧ２に規定される方式を用いることができる。これに限らず、クイックタイム(QuickTime：登録商標)などの、パーソナルコンピュータ向けに開発された圧縮符号化方式を用いることもできる。
【００６１】
また、放送電波受信部４１の出力は、盛り上がりシーン自動検出部４６にも供給される。盛り上がりシーン自動検出部４６は、盛り上がりシーン検出エンジン１１により、放送番組中の盛り上がりシーンを検出する。盛り上がりシーンの検出結果は、制御部４５に供給される。盛り上がりシーン自動検出部４６による検出処理については、後述する。
【００６２】
制御部４５は、例えばＣＰＵ(Central Processing Unit)、ＲＡＭ(Random Access Memory)、ＲＯＭ(Read Only Memory)およびハードディスクなどがバスで接続されてなる。ＲＯＭは、ＣＰＵの起動用のプログラムなどが予め記憶される。ＣＰＵに読み込まれ実行されるプログラムや、プログラムの実行時に用いられるデータは、ハードディスクに格納される。携帯端末装置２のＩＤ情報とインターネット上のアドレス情報とを関連付けるユーザ情報テーブルも、このハードディスクに格納される。ハードディスクに格納されたプログラムやデータは、ハードディスクから読み出されてＲＡＭに記憶され、ＣＰＵは、ＲＡＭに記憶されたこれらプログラムやデータを読み込み、プログラムに従い様々な処理を実行し、このダイジェスト映像サーバ１の全体を制御する。
【００６３】
制御部４５のハードディスクに格納されるプログラムは、例えばＣＤ−ＲＯＭやＤＶＤ−ＲＯＭといった記録媒体に記録されて提供される。これらのＣＤ−ＲＯＭやＤＶＤ−ＲＯＭ、ダイジェスト映像サーバ１が有する図示されないドライブ装置により読み出され、ハードディスクに所定に格納される。
【００６４】
このダイジェスト映像サーバ１は、インターネットを介して上述の携帯端末装置２と通信を行うことができる。例えば、制御部４５の制御に基づき、映像記録再生部４２により、圧縮符号化され記録された映像データおよび音声データが記録媒体４３から読み出され、通信送受信部４４に供給される。通信送受信部４４は、例えば、供給されたデータを所定に分割してパケット化し、宛先情報を付加してインターネットに対して送信する。
【００６５】
一方、インターネットには、例えば上述した携帯端末装置２の提供元である通信事業者の設備５０が接続される。通信事業者設備５０は、インターネットとの通信と、携帯端末装置２との通信を制御する通信電波送受信部５１を有する。上述したダイジェスト映像サーバ１の通信送受信部４４から送信されたパケットは、インターネットを介して通信電波送受信部５１に供給される。通信電波送受信部５１は、供給されたパケットを所定に変調して通信電波とし、アンテナ５２により送信する。送信された通信電波は、携帯端末装置２により受信される。
【００６６】
また、携帯端末装置２から送信された通信電波は、アンテナ５２により受信され、通信電波送受信部５１に供給される。通信電波送受信部５１は、供給された信号を復調し、インターネットに対して送信する。この信号は、例えばインターネットを介してダイジェスト映像サーバ１の通信送受信部４４に受信される。
【００６７】
なお、上述では、ダイジェスト映像サーバ１が１台のコンピュータ装置を用いて構成されるように説明したが、これはこの例に限定されず、例えばネットワーク接続された複数のコンピュータ装置で機能などを分散させて構成することができる。また、図１で説明したダイジェスト管理サーバ１４は、例えば制御部４５や記録媒体４３により構成される。
【００６８】
盛り上がりシーン自動検出部４６による処理について、より詳細に説明する。図５を用いて、音声信号を用いて盛り上がりシーンを検出する例について説明する。この図５の例の場合は、歓声、拍手および全体の音量に注目して、盛り上がっていると考えられる期間を盛り上がりシーンとして特定する。図５Ａに示されるように、テレビジョン放送による音声データと映像データとが、時間軸に沿って、盛り上がりシーン自動検出部４６に供給される。盛り上がりシーン自動検出部４６では、これらの信号のうち音声信号を用いて、以下の３種類の解析を行う。
【００６９】
第１は、音量の時間当たりの変化量の解析である（図５Ｂ参照）。例えば音声信号の波形のエンベロープを求め、このエンベロープを微分する。微分値の絶対値が閾値以上の時刻を求め、微分値が正の値の時刻を盛り上がりシーンの開始時刻ｔsの候補、負の値の時刻を終了時刻ｔeの候補としてメモリなどに記憶する。
【００７０】
第２は、音声信号を解析し、歓声の部分を抽出する（図５Ｃ参照）。歓声は、特定の人声の集合であるから、人声に基づく所定の周波数ｆVにピークを持つと考えられる。音声信号を、例えば中心周波数がｆVであるバンドパスフィルタを用いてフィルタリングしてこの周波数ｆV近傍の周波数成分を抽出し、平均音量からの増加量を調べる。平均音量から増加している期間の先頭および終端の時刻を、盛り上がりシーンの開始時刻ｔsの候補、終了時刻ｔeの候補として、メモリなどに記憶する。
【００７１】
第３は、音声信号を解析し、拍手の部分を抽出する（図５Ｄ参照）。拍手は、打撃音であって、人声の周波数ｆVよりも高い周波数ｆPにピークを持つと考えられる。音声信号を、例えば中心周波数がｆPであるバンドパスフィルタを用いてフィルタリングしてこの周波数ｆP近傍の周波数成分を抽出し、平均音量からの増加量を調べる。平均音量から増加している期間の先頭および終端の時刻を、盛り上がりシーンの開始時刻ｔsの候補、終了時刻ｔeの候補として、メモリなどに記憶する。
【００７２】
音声信号に対してこれら３種類の解析を行い、解析結果に対してそれぞれ重み付けをした結果を演算し、演算結果に基づき盛り上がりシーンを判断する。図５の例では、図５Ｅに一例が示されるように、時刻ｔs1から時刻ｔe1までを第１の盛り上がりシーンとし、時刻ｔs2から時刻ｔe2までを第２の盛り上がりシーンとして、それぞれ判断している。音声信号に基づき盛り上がりシーンが解析されたら、盛り上がりシーンの開始時刻ｔsおよび終了時刻ｔeにそれぞれ対応する映像信号のフレームを求める。盛り上がりシーン自動検出部４６による検出結果は、制御部４５に渡される。
【００７３】
なお、実際には、上述のようにして検出された盛り上がりシーンの開始時刻ｔsおよび終了時刻ｔeに対して、所定のマージンが付加される。例えば、検出された盛り上がりシーンの開始時刻ｔsに対して、所定時間前（例えば１０秒前）の時刻を、実際に用いる盛り上がりシーンの開始時刻ｔsとする。同様に、検出された盛り上がりシーンの終了時刻ｔeの所定時間後（例えば５秒後）を、実際に用いる盛り上がりシーンの終了時刻ｔeとする。マージンとして付加される時間は、野球中継やサッカー中継などのスポーツ中継番組、バラエティ番組、トーク番組といった番組ジャンルに応じて可変とすることも考えられる。以下では、盛り上がりシーンの開始時刻ｔsおよび終了時刻ｔeを、このようにしてマージンを含めたものとする。
【００７４】
また、３種類の解析結果に対する重み付けの比率は、例えば番組毎に設定することができる。一例として、スポーツ中継番組に対しては、第２の、歓声の解析結果に対してより強く重み付けを行い、バラエティ番組やトーク番組に対しては、第３の、拍手の解析結果に対してより強く重み付けを行うことが考えられる。このように、番組のジャンルに応じて３種類の解析結果に対する重み付けの比率を適切に設定することで、より高い確率で、盛り上がりシーンを検出することができる。
【００７５】
さらに、盛り上がりシーンに対して、盛り上がり度が求められる。例えば、第１の、音量の時間当たりの変化量については、盛り上がりシーン開始時の微分値の絶対値に基づき盛り上がり度を設定することができる。第２および第３の、歓声および拍手については、平均音量からの増加量に基づき盛り上がり度を設定することができる。さらに、音量変化、歓声、拍手の何れについても、盛り上がりシーンとされた期間の長さに基づき盛り上がり度を設定することができる。３種類の解析結果に対してそれぞれ重み付けを行い、盛り上がり度を設定することもできる。
【００７６】
盛り上がりシーン自動検出部４６により、楽曲が演奏されているシーンを検出することも可能である。例えば、楽曲が歌唱を伴う場合、歌唱の音量が伴奏など他のパートの音量よりも大きくされていることが考えられる。そこで、上述したように、音声信号に基づき、人声に基づく所定の周波数ｆVを中心周波数としたバンドパスフィルタを用いて、平均音量からの増加量を調べ、楽曲の部分を判断することができる。また、観客がいる場で楽曲が演奏および／または歌唱される場合には、楽曲の前後に拍手が起きることが考えられるので、上述した、中心周波数がｆPであるバンドパスフィルタを用いて拍手の部分を検出し、この拍手の部分と上述の歌唱の部分とから楽曲のシーンを検出することができる。さらに、音量の時間当たりの変化量を調べ、特定のビートが所定レベル以上の音量で検出された場合に、その部分を楽曲のシーンであると判断することができる。これら３種類の検出方法を組み合わせることで、より確実に楽曲シーンを検出することが可能である。この楽曲シーンも、盛り上がりシーンとする。
【００７７】
このようにして検出された盛り上がりシーンを、記録媒体４３に記録されたテレビジョン放送による映像データおよび音声データから抽出して出力することができる。また、検出された盛り上がりシーンだけを記録媒体４３に記録するようにもできる。
【００７８】
図６Ａを用いて、盛り上がりシーンを、記録媒体４３に記録されたテレビジョン放送による映像データおよび音声データから抽出して出力する例について説明する。映像記録再生部４２は、放送電波受信部４１から出力された映像データおよび音声データを、記録媒体４３（図６ではＨＤＤと記述）に継続的に記録し、例えば１週間分を蓄積する。放送電波受信部４１を複数有する、または、放送電波受信部４１が受信チャンネルの異なる複数のテレビジョン放送を同時に受信可能であれば、全てのテレビジョン放送による映像データおよび音声データを同様にしてそれぞれ記録する。
【００７９】
映像記録再生部４２による記録と並行的に、放送電波受信部４１から出力された音声データを用いて、盛り上がりシーン自動検出部４６で盛り上がりシーンの検出が行われる。盛り上がりシーンの開始時刻ｔsおよび終了時刻ｔeが確定されると、確定された盛り上がりシーンの開始時刻ｔsおよび終了時刻ｔeと、当該盛り上がりシーンの盛り上がり度と、その盛り上がりシーンが含まれるテレビジョン放送番組の放送局名（放送チャンネル）、放送日時、番組名といった番組情報とを記憶する。これらの情報は、例えば制御部４５が有するハードディスクに格納され記憶される。
【００８０】
図６Ａの例では、放送局Ａの番組Ｌについて、盛り上がりシーンが、開始時刻ｔs1および終了時刻ｔe1、開始時刻ｔs2および終了時刻ｔe2、ならびに、開始時刻ｔs3および終了時刻ｔe3の３箇所、検出されている。これら３箇所の盛り上がりシーンのそれぞれについて、当該盛り上がりシーンの開始時刻ｔsおよび終了時刻ｔeと、盛り上がり度と、番組情報とが求められ、記憶される。
【００８１】
この方法では、テレビジョン放送による映像データおよび音声データが蓄積的に記録されるため、記録媒体４３の記録容量を多く必要とする。一方、この方法では、テレビジョン放送番組の全長の記録が行われるため、記録媒体４３に記録されたデータを他の用途にも用いることができる。
【００８２】
図６Ｂを用いて、検出された盛り上がりシーンだけを記録媒体４３に記録する例について説明する。放送電波受信部４１から出力された音声データを用いて、盛り上がりシーン自動検出部４６で盛り上がりシーンの検出が行われる。盛り上がりシーンの開始時刻ｔsおよび終了時刻ｔeが確定されると、開始時刻ｔsおよび終了時刻ｔeの映像データが記録媒体４３に記録される。それと共に、上述の例と同様に、確定された盛り上がりシーンの開始時刻ｔsおよび終了時刻ｔeと、当該盛り上がりシーンの盛り上がり度と、当該盛り上がりシーンに関する番組情報とが求められ、例えば制御部４５が有するハードディスクに格納され記憶される。
【００８３】
例えば、映像記録再生部４２は、記録媒体４３に対してテレビジョン放送を継続的に記録し、その際に、現在時刻から所定時間前（例えば１０分前）より過去のデータを順次、消去して現在の時刻に対して所定時間前からの情報のみを常に保持する。そして、盛り上がりシーンの開始時刻ｔsおよび終了時刻ｔeが確定されると、記録されているデータから開始時刻ｔsおよび終了時刻ｔeの部分を抽出し、記録媒体４３の他の領域または他の記録媒体に記録する。
【００８４】
図６Ｂの例では、放送局Ａの番組Ｌについて、盛り上がりシーンが、開始時刻ｔs1および終了時刻ｔe1、開始時刻ｔs2および終了時刻ｔe2、ならびに、開始時刻ｔs3および終了時刻ｔe3の３箇所、検出されている。これら３箇所の盛り上がりシーンのそれぞれについて、当該盛り上がりシーンの開始時刻ｔsおよび終了時刻ｔeと、盛り上がり度と、番組情報とが求められ記憶される。また、これらの情報と、盛り上がりシーンの部分が抽出され記録媒体４３に記録されたファイルとの対応関係が、例えば制御部４５のハードディスクに格納され記憶される。
【００８５】
この方法では、図６Ｂの下側に一例が示されるように、盛り上がりシーン期間の映像データおよび音声データのみが記録媒体４３に記録されるため、記録媒体４３の記録容量を節約することができる。一方、この方法では、盛り上がりシーン期間のデータのみが記録されるため、記録されたデータを他の用途に用いることが難しい。
【００８６】
図７および図８を用いて、この発明の実施の一形態によるダイジェスト映像提供システムによる処理について、より具体的に説明する。図７は、ユーザが、番組表を用いて見たいダイジェスト映像を選択する場合の一例の処理を示すフローチャートである。図７において、左側が携帯端末装置２の処理、右側がダイジェスト映像サーバ１の処理をそれぞれ示す。このフローチャートの実行に先立って、ダイジェスト映像サーバ１において、番組毎のダイジェスト映像のリスト、すなわち、盛り上がりシーン自動検出部４６による検出結果に基づき抽出され、記録媒体４３に記録された盛り上がりシーンのリストが番組毎に作成される。また、ダイジェスト映像が存在する番組のリストである、ダイジェスト映像番組表が作成される。
【００８７】
ユーザは、ダイジェスト映像を見たい場合に（ステップＳ１０）、携帯端末装置２を用いてダイジェスト映像サーバ１とインターネットを介して通信を行い、ダイジェスト映像サーバ１に対してダイジェスト映像番組表を要求する（ステップＳ１１）。例えば携帯端末装置２は、操作部２９に対してなされた所定の操作に応じて、番組表を要求するメッセージを制御部２８で生成し、当該携帯端末装置２を識別するためのＩＤ情報を付加して通信電波送受信部２５により送信する（ＳＥＱ１００）。
【００８８】
ダイジェスト映像サーバ１は、番組表要求メッセージを受信すると、ステップＳ２０で、受信されたメッセージに付加されたＩＤ情報に基づきダイジェスト映像番組表を携帯端末装置２に対して送信する。このダイジェスト映像番組表は、インターネットを介して送信され（ＳＥＱ１０１）、携帯端末装置２に受信される。携帯端末装置２は、受信したダイジェスト映像番組表を、表示部２３に表示する（ステップＳ１２）。ダイジェスト映像番組表は、例えば図２で説明したリスト１６Ａのようにして、ダイジェスト映像サーバ１において盛り上がりシーンが検出されダイジェスト映像が記録されている番組のリストとして、表示部２３に表示される。
【００８９】
ユーザは、表示部２３の表示に基づき操作部２９を操作し、ダイジェスト映像を見たい番組を選択し、選択情報をダイジェスト映像サーバ１に対して送信する（ステップＳ１３）。ここでは、選択された番組を特定できる番組情報（放送局情報、放送時刻情報、番組名など）と、当該携帯端末装置２を識別できるＩＤ情報とが、携帯端末装置２からインターネットを介してダイジェスト映像サーバ１に対して送信される（ＳＥＱ１０２）。
【００９０】
ダイジェスト映像サーバ１は、ステップＳ２１で、送信された番組情報およびＩＤ情報に基づき、対応するダイジェスト映像リストをインターネットを介して携帯端末装置２に対して送信する（ＳＥＱ１０３）。ダイジェスト映像リストは、選択されたテレビジョン放送番組中で検出された盛り上がりシーンの開始時刻ｔsおよび終了時刻ｔeと、盛り上がり度と、番組情報とが含まれる。
【００９１】
携帯端末装置２は、受信したダイジェスト映像リストを、表示部２３に表示する（ステップＳ１４）。ダイジェスト映像リストは、例えば図２を用いて説明したリスト１６Ｂのようにして、選択された番組中で検出された盛り上がりシーンと、対応する盛り上がり度とが、ダイジェスト映像のリストとして表示される。ステップＳ１５で、ユーザは、この表示に基づき、所望のダイジェスト映像を選択し、携帯端末装置２の操作部２９に対して所定の操作を行って、選択されたダイジェスト映像の情報をインターネットを介してダイジェスト映像サーバ１に送信する（ＳＥＱ１０４）。このダイジェスト映像の選択情報は、例えば当該ダイジェスト映像が放送されたテレビジョン放送番組の番組情報と、番組放送時のダイジェスト映像の開始時刻ｔsおよび終了時刻ｔeが含まれる。
【００９２】
ダイジェスト映像サーバ１は、この選択情報を受信すると、ステップＳ２２で、記録媒体４３から選択情報に対応するダイジェスト映像を読み出し、携帯端末装置２に対して、パケット通信により送信する（ＳＥＱ１０５）。例えば、映像記録再生部４２は、制御部４５からの指示に基づき、選択情報に含まれる番組情報に基づきダイジェスト映像の記録ファイルを選択し、ファイルの開始時刻ｔsで示される位置から、終了時刻ｔeで示される位置までを読み出す。読み出されたデータは、所定サイズに分割されてそれぞれパケットに格納され、インターネットを介して携帯端末装置２に送信される。
【００９３】
携帯端末装置２は、受信したダイジェスト映像を記憶媒体２７に記憶する（ステップＳ１６）。そして、ユーザからの再生要求を待機する（ステップＳ１７）。制御部２５は、操作部２９に対して記憶媒体２７に記憶されたダイジェスト映像の再生を指示するような操作がなされると、スイッチ２２を入力端２２Ｂが選択されるように制御すると共に、データ記憶再生部２６に対して、記憶媒体２７からダイジェスト映像を読み出すように指示する。データ記憶再生部２６は、この指示に基づき記憶媒体２７からダイジェスト映像を読み出し、スイッチ２２を介して表示部２３に供給する。表示部２３は、供給されたダイジェスト映像を表示する（ステップＳ１８）。
【００９４】
なお、上述では、携帯端末装置２とダイジェスト映像サーバ１との間で、直接的にデータやりとりが行われるように説明したが、これはこの例に限定されない。例えば、上述の携帯端末装置２とダイジェスト映像サーバ１との間のやりとりは、図７におけるＳＥＱ１０５の、ダイジェスト映像サーバ１から携帯端末装置２へのダイジェスト映像の送信以外は、インターネット上のＷｅｂサイトに置かれたＷｅｂページを介して行うことができる（図２参照）。
【００９５】
一例として、インターネット上にＷｅｂサイトを構築し、このＷｅｂサイトにダイジェスト映像を要求するためのＷｅｂページを予め構成しておく。Ｗｅｂサイトは、ダイジェスト映像サーバ１上に構築してもよいし、ダイジェスト映像サーバ１と互いに通信可能な他のサーバ装置上に構築してもよい。
【００９６】
ダイジェスト映像サーバ１において、テレビジョン放送番組から盛り上がりシーンが検出され、検出結果に基づきダイジェスト映像が作成され記録媒体４３に記録されると、記録されたダイジェスト映像のリストを表示するための、例えば上述の図２にリスト１６Ｂとして示したようなＷｅｂページを、それぞれの番組について、盛り上がりシーンが検出される毎に自動作成または更新する。このＷｅｂページのＵＲＬを、例えば番組情報と、ダイジェスト映像の開始および終了時刻情報に基づき設定することが考えられる。また、ダイジェスト映像番組表を表示するための、例えば上述の図２にリスト１６Ａとして示したようなＷｅｂページを作成する。このＷｅｂページは、ダイジェスト映像リストのＷｅｂページの作成または更新に応じて作成または更新される。
【００９７】
ユーザは、ダイジェスト映像を見たい場合（ステップＳ１０）、先ず、携帯端末装置２のブラウザソフトウェアの機能により、所定にＵＲＬを指定してダイジェスト映像要求のＷｅｂページに先ず、アクセスする（ステップＳ１１およびＳＥＱ１００）。そこから、所定のリンクを指定することで（ステップＳ２０およびＳＥＱ１０１）、ダイジェスト映像番組表を表示するＷｅｂページにアクセスされる（ステップＳ１２）。ユーザは、このＷｅｂページにおいて、所望の番組を選択する、すなわち、所望の番組に対応するリンク１８を指定すると（ステップＳ１３およびＳＥＱ１０２）、指定されたリンク１８に対応する（ステップＳ２１およびＳＥＱ１０３）、ダイジェスト映像リストのＷｅｂページにアクセスされる（ステップＳ１４）。このＷｅｂページにおいて、リンク１９、１９、・・・の中から、例えばそれぞれのリンク１９、１９、・・・に対応して表示される盛り上がり度に基づき見たいシーンを選択し指定すると、携帯端末装置２からダイジェスト映像サーバ１に対して、当該携帯端末２のＩＤ情報と、指定したダイジェスト映像を要求する情報（例えば、番組情報、ならびに、ダイジェスト映像の開始および終了時刻情報）とが送信される（ステップＳ１５およびＳＥＱ１０４）。ダイジェスト映像サーバ１は、受信したＩＤ情報と、ダイジェスト映像要求情報とに基づき、記録媒体４３から所定にダイジェスト映像を読み出し、携帯端末装置２に対して送信する（ステップＳ２２およびＳＥＱ１０５）。
【００９８】
図８は、携帯端末装置２がテレビジョン放送の受信機能を有し、ユーザが、携帯端末装置２で現在視聴中のテレビジョン放送番組の、その放送中の既に放送し終えた過去映像を、ダイジェスト映像として見たい場合の一例の処理を示すフローチャートである。図８において、左側が携帯端末装置２の処理、右側がダイジェスト映像サーバ１の処理をそれぞれ示す。
【００９９】
このフローチャートの実行に先立って、ダイジェスト映像サーバ１において、ダイジェスト映像のリスト、すなわち、番組中で盛り上がりシーンが検出され、検出結果に基づき抽出され記録媒体４３に記録された盛り上がりシーンの一覧がダイジェスト映像のリストとして作成される。
【０１００】
当初、携帯端末装置２では、スイッチ２２において入力端２２Ａが選択されており、ユーザの操作部２９に対する操作により選択された放送局のテレビジョン放送番組が表示部２３に表示されている。ユーザは、この表示部２３に表示され現在視聴中の番組の過去映像を見たい場合に（ステップＳ３０）、携帯端末装置２の操作部２９を所定に操作し、ダイジェスト映像サーバ１に対して過去映像によるダイジェスト映像を要求するように指示する（ステップＳ３１）。携帯端末装置２では、操作に応じてスイッチ２２において入力端２２Ｂが選択される。それと共に、携帯端末装置２は、ステップＳ３２で、この指示に応じて、携帯端末装置２において現在視聴中の放送局情報と、当該携帯端末装置２のＩＤ情報と、現在の時刻情報とを、インターネットを介してダイジェスト映像サーバ１に対して送信する（ＳＥＱ２００）。
【０１０１】
ダイジェスト映像サーバ１は、この過去映像によるダイジェスト映像の要求を受信すると、ステップＳ４０で、放送局情報と現在の時刻情報とに基づきユーザが携帯端末装置２で現在視聴中の番組を特定する。そして、盛り上がりシーンの開始時刻ｔsおよび終了時刻ｔeに基づき、当該番組の現在なされている放送が開始されてから現在までのダイジェスト映像を抽出し、抽出されたダイジェスト映像のリストを作成する。なお、ダイジェスト映像リストは、盛り上がりシーンが検出される毎に自動的に作成または更新するようにしてもよい。このダイジェスト映像リストは、携帯端末装置２で現在視聴中の番組で検出された盛り上がりシーンの開始時刻ｔsおよび終了時刻ｔeと、盛り上がり度と、番組情報とが含まれる。作成されたリストは、携帯端末装置２に対してインターネットを介して送信される（ＳＥＱ２０１）。
【０１０２】
携帯端末装置２は、受信したダイジェスト映像リストを、表示部２３に表示する（ステップＳ２３）。ダイジェスト映像リストは、例えば図２を用いて説明したリスト１６Ｂのようにして、選択された番組中で検出された盛り上がりシーンと、対応する盛り上がり度とが、ダイジェスト映像のリストとして表示される。ステップＳ３４で、ユーザは、この表示に基づき、所望のダイジェスト映像を選択し、携帯端末装置２の操作部２９に対して所定の操作を行って、選択されたダイジェスト映像の情報をインターネットを介してダイジェスト映像サーバ１に送信する（ＳＥＱ２０２）。このダイジェスト映像の選択情報は、例えば当該ダイジェスト映像が放送されたテレビジョン放送番組の番組情報と、番組放送時のダイジェスト映像の開始時刻ｔsおよび終了時刻ｔeが含まれる。
【０１０３】
ダイジェスト映像サーバ１は、この選択情報を受信すると、ステップＳ４１で、記録媒体４３から選択情報に対応するダイジェスト映像を読み出し、携帯端末装置２に対して、パケット通信により送信する（ＳＥＱ２０３）。例えば、映像記録再生部４２は、制御部４５からの指示に基づき、選択情報に含まれる番組情報に基づきダイジェスト映像の記録ファイルを選択し、ファイルの開始時刻ｔsで示される位置から、終了時刻ｔeで示される位置までを読み出す。読み出されたデータは、所定サイズに分割されてそれぞれパケットに格納され、インターネットを介して携帯端末装置２に送信される。
【０１０４】
携帯端末装置２は、受信したダイジェスト映像を記憶媒体２７に記憶する（ステップＳ３５）。そして、ユーザからの再生要求を待機する（ステップＳ３６）。制御部２５は、スイッチ２２を入力端２２Ｂが選択されるように制御すると共に、操作部２９に対して記憶媒体２７に記憶されたダイジェスト映像の再生を指示するような操作がなされると、データ記憶再生部２６に対して、記憶媒体２７からダイジェスト映像を読み出すように指示する。データ記憶再生部２６は、この指示に基づき記憶媒体２７からダイジェスト映像を読み出し、スイッチ２２を介して表示部２３に供給する。表示部２３は、供給されたダイジェスト映像を表示する（ステップＳ３７）。
【０１０５】
なお、この図８の処理も、上述した図７の処理と同様にして、Ｗｅｂサイトを介して行うことができる。処理手順などは、図７で説明したものと略同様であるので、説明は省略する。
【０１０６】
この過去映像のダイジェスト映像を視聴する場合、例えば要求したダイジェスト映像を視聴後に、未だ当該番組が放送中である場合、ダイジェスト映像の視聴に続けて当該番組の現在放送されている放送映像を視聴するようにできる。例えば、ユーザは、上述したステップＳ３７において表示部２３にダイジェスト映像が表示されているときや表示が終了したときに、操作部２９に対して所定の操作を行うことにより、スイッチ２２において入力端２２Ａが選択され、表示部２３に表示される映像が、記憶媒体２７から読み出された映像データに基づく映像から、アンテナ２０で受信され放送電波受信部２１から出力された映像に切り替わる。
【０１０７】
なお、上述では、ダイジェスト映像サーバ１がコンピュータ装置を用いて構成される、インターネット上のサーバ装置であるように説明したが、これはこの例に限定されない。例えば、家庭などで用いられる、ハードディスクを記録媒体として用いたディジタル録画装置を、ダイジェスト映像サーバ１として利用することができる。
【０１０８】
一例として、家庭用のディジタル録画装置に対し、インターネットに対する通信機能と、盛り上がりシーンの検出を行い録画された映像データに対して盛り上がりシーンの開始時刻ｔsおよび終了時刻ｔeをマークする機能と、ダイジェスト映像番組表およびダイジェスト映像リストを作成する機能とを付加する。盛り上がりシーンの検出に関する機能と、ダイジェスト映像番組表およびダイジェスト映像リスト作成機能とは、ソフトウェア的に付加することが可能である。
【０１０９】
ユーザは、このような機能が付加されたディジタル録画装置に対し、ダイジェスト映像の視聴が予想される番組の録画予約を行う。ＥＰＧ(Electronic Program Guide)などを用いて、特定のジャンルの番組を自動的に録画するように予約することもできる。そして、携帯端末装置２を用いてインターネットを介してこのディジタル録画装置にアクセスし、上述した図７および／または図８のようにして、ダイジェスト映像の要求および視聴を行う。
【０１１０】
なお、上述では、携帯端末装置２が携帯電話装置であるとして説明したが、これはこの例に限定されない。すなわち、携帯端末装置２は、インターネットに対する通信機能を有し、動画の再生が可能であれば、他の情報機器にも適用できる。例えば、ＰＤＡ(Personal Digital Assistant)装置にインターネットへの通信機能を設けて、携帯端末装置２を構成してもよい。また、車載用の情報機器に適用することも可能である。さらに、携帯可能とされたパーソナルコンピュータにインターネットとの通信機能とを搭載して携帯端末装置２を構成してもよい。さらに、携帯端末装置２とインターネットとの通信は、必ずしも通信電波により基地局を介して行う必要はなく、有線で行うようにしてもよい。
【０１１１】
次に、図９〜図１５を用いて、この発明の実施の一形態による映像提供システムを利用したビジネスモデルについて説明する。ビジネスモデルとしては、ユーザに課金する有料サービスと、ユーザに課金しない無料サービスとが考えられる。
【０１１２】
なお、以下の説明において、上述したダイジェスト映像提供システムは、情報システム１０２に含まれる。情報システム１０２は、ダイジェスト映像サーバ１と、携帯端末装置２に搭載される関連するソフトウェアを含む。また、放送局１０３は、テレビジョン放送番組などの放送コンテンツを放映する権利を有する放映権所有者を指す。
【０１１３】
先ず、図９、図１０および図１１を用いて、有料サービスの例について説明する。有料サービスの場合、ビジネスモデルは、情報システム１０２を利用するユーザ１００と、システムを開発し提供する事業者１０１と、情報システム１０２にテレビジョン放送が記録される放送局１０３と、盛り上がり検出技術の開発や技術提供を行う技術開発者１０４との間の関係からなる。また、携帯端末装置２とダイジェスト映像サーバ１との間のやりとりは、Ｗｅｂサイトを介して行われるものとする。
【０１１４】
図９は、情報システム１０２によるサービスの主体が事業者１０１であり、情報システム１０２の運用も事業者１０１が行う場合の例である。事業者１０１は、情報システム１０２の開発および設置を行うと共に、情報システム１０２を運用する。また、事業者１０１は、Ｗｅｂサイトの管理および運営も行う。Ｗｅｂサイトは、例えば、図２に示したような、ダイジェスト映像のリストをユーザに提示するためのものである。ユーザ１００は、事業者１０１に対してサービス利用料Ｐ１００を支払うことで、情報システム１０２によるサービスを受けることができる。事業者１０１は、放送局１０３に対して放送コンテンツ配信許諾料Ｐ１０１を支払い、放送コンテンツすなわち放送局１０３により放送されるテレビジョン放送番組の記録媒体４３への記録と、記録媒体４３に記録されたテレビジョン放送番組による映像および音声データの、ユーザ１００への配信の権利を得る。また、事業者１０１は、技術開発者１０４に対して、情報システム１０２で用いられる盛り上がり検出技術に対するライセンス料Ｐ１０２を支払う。事業者１０１は、例えばユーザ１００の数に応じた収益を得ることができる。
【０１１５】
図１０は、情報システム１０２によるサービスの主体が放送局１０３であり、情報システム１０２の運用を事業者１０１が行う場合の例である。放送局１０３は、事業者１０１に対してシステム利用料Ｐ１０３を支払い、情報システム１０２の利用権を得る。事業者１０１は、情報システム１０２の設置および運用を行う。すなわち、事業者１０１は、放送局１０３に対して情報システム１０２の運用を代行する。また、Ｗｅｂサイトの運営は、放送局１０３が主体で行うが、事業者１０１も、放送局１０３に対して、Ｗｅｂサイトの管理および運営を協力する。ユーザ１００は、放送局１０３に対してサービス利用料Ｐ１００を支払うことで、情報システム１０２によるサービスを受けることができる。また、事業者１０１は、技術開発者１０４に対して、情報システム１０２で用いられる盛り上がり検出技術に対するライセンス料Ｐ１０２を支払う。この図１０のモデルの場合、ユーザ１００は、サービス利用料Ｐ１００を支払っている放送局１０３が放送したテレビジョン放送番組に対してのみ、ダイジェスト映像を要求することができる。事業者１０１は、例えば契約した放送局１０３の数に応じた収益を得ることができる。放送局１０３と契約しているユーザ１００に応じてシステム利用料Ｐ１０３を設定することもできる。
【０１１６】
図１１は、情報システム１０２によるサービスの主体が放送局１０３であり、情報システム１０２の運用も放送局１０３が行う場合の例である。事業者１０１は、放送局１０３に対して情報システム１０２の開発および設置を行う。放送局１０３は、事業者１０１に対してライセンス料Ｐ１０４を支払い、情報システム１０２を所有する。また、放送局１０３は、Ｗｅｂサイトの管理および運営も行う。ユーザ１００は、放送局１０３に対してサービス利用料Ｐ１００を支払うことで、情報システム１０２によるサービスを受けることができる。また、事業者１０１は、技術開発者１０４に対して、情報システム１０２で用いられる盛り上がり検出技術に対するライセンス料Ｐ１０２を支払う。この図８のモデルの場合、ユーザ１００は、サービス利用料Ｐ１００を支払っている放送局１０３が放送したテレビジョン放送番組に対してのみ、ダイジェスト映像を要求することができる。事業者１０１は、ライセンスを与えた放送局１０３の数に応じた収益を得ることができる。
【０１１７】
なお、有料サービスの場合、ユーザ１００を登録制とし、情報システム１０２に登録されたユーザ１００がサービスを受けられるようにできる。例えば携帯端末装置２のＩＤ情報がユーザ１００の識別情報として、情報システム１０２に登録される。勿論、ユーザ１００がその都度利用料金を支払ってサービスを利用するようにもできる。
【０１１８】
また、ユーザ１００のサービス利用料Ｐ１００は、インターネットなどの通信網を利用した電子商取引を用いて支払われる。一例として、情報システム１０２は、ユーザ１００の利用回数をカウントし、事業者１０１または放送局１０３は、このカウント数に応じてユーザ１００に対する課金を決定する。同様に、図６において、事業者１０１から放送局１０３に対する放送コンテンツ配信許諾料Ｐ１０１も、電子商取引を用いて支払うようにすると、好ましい。この場合、情報システム１０２からユーザ１００に対して送信されたコンテンツ量などに応じて、自動的に放送コンテンツ配信許諾料Ｐ１０１を決定することができる。図７の、放送局１０３から事業者１０１に対するシステム利用料Ｐ１０３も同様にして、電子商取引を用いるのが好ましい。さらに、技術開発者１０４に対するライセンス料Ｐ１０２も、同様にして電子商取引を用いて支払い、情報システム１０２の利用数などに応じて料金を決定することができる。
【０１１９】
次に、図１２、図１３、図１４および図１５を用いて、無料サービスの例について説明する。無料サービスの場合、ビジネスモデルは、上述のユーザ１００、事業者１０１および放送局１０３に対して、広告主１０５が加わる。すなわち、広告主１０５から広告媒体料を得ることで、ユーザ１００による情報システム１０２の利用料金を無料とすることを実現している。
【０１２０】
広告主１０５は、広告媒体料を支払い、携帯端末装置２に送信されるダイジェスト映像に対して、広告主１０５による広告（コマーシャル）を表示させる。例えば、ダイジェスト映像が抽出された元の放送番組に含まれる広告情報が、ダイジェスト映像に伴い表示される。
【０１２１】
図１２は、携帯端末装置２の表示部２３に表示される表示画面２００に対する広告表示の例を示す。図１２Ａは、表示画面２００の一部に常に広告表示２０２を表示させる例である。図１２Ａの例では、表示画面２００の上部に、ダイジェスト映像による映像２０１が表示され、その直下に広告表示２０２が帯状に表示される。このような、表示画面２００の一部に表示される帯状の表示をバナー表示と呼ぶ。バナー表示の位置は、映像２０１の直下に限らず、直上でもよいし、左端および／または右端に縦方向に表示してもよい。
【０１２２】
例えば、広告表示２０２に用いる映像または画像データは、契約された広告主１０５から提供され、ダイジェスト映像サーバ１の記録媒体４３に格納される。ダイジェスト映像サーバ１は、携帯端末装置２から要求されたダイジェスト映像の映像データを記録媒体４３から読み出すと共に、広告表示２０２に用いる映像または画像データを読み出す。読み出されたダイジェスト映像の映像データと、広告表示２０２に用いる映像または画像データとは、例えば映像記録再生部４２で所定に合成され、ダイジェスト映像サーバ１から送信される。
【０１２３】
広告表示は、バナー表示に限らず、図１２Ｂに一例が示されるように、表示画面２００に対して全面に表示させることもできる。この場合、広告表示２０４は、ダイジェスト映像の先頭側に付加される。例えば、広告表示２０２に用いる映像データは、契約された広告主１０５から提供され、ダイジェスト映像サーバ１の記録媒体４３に格納される。ダイジェスト映像サーバ１は、記録媒体４３からダイジェスト映像の映像データを読み出すと共に、この広告表示２０２に用いる映像データを読み出す。映像記録再生部４２は、広告表示２０２に用いる映像データと、ダイジェスト映像の映像データとを、広告表示２０２に用いる映像データが時間的に前に再生され、ダイジェスト映像の映像データがその次に再生されるように配列して、出力する。
【０１２４】
図１３は、情報システム１０２によるサービスの主体が事業者１０１であり、情報システム１０２の運用も事業者１０１が行う場合の例である。事業者１０１は、情報システム１０２の開発および設置を行うと共に、情報システム１０２を運用する。また、事業者１０１は、Ｗｅｂサイトの管理および運営も行う。ユーザ１００は、情報システム１０２を無料で利用することができる。事業者１０１は、放送局１０３に対して放送コンテンツ配信許諾料（図示しない）を支払い、放送コンテンツすなわち放送局１０３により放送されるテレビジョン放送番組の記録媒体４３への記録と、記録媒体４３に記録されたテレビジョン放送番組による映像および音声データの、ユーザ１００への配信の権利を得る。また、事業者１０１は、技術開発者１０４に対して、盛り上がり検出技術に対するライセンス料Ｐ１０２を支払う。
【０１２５】
一方、広告主１０５は、広告媒体料Ｐ１０５を放送局１０３に支払い、広告を放送局１０３の放送コンテンツと共に放送させる。また、放送局１０３から事業者１０１に対して広告媒体料Ｐ１０５の一部が支払われ、情報システム１０２により、広告主１０５により提供される広告がダイジェスト映像と共に携帯端末装置２に対して送信される。送信された広告は、携帯端末装置２の表示画面２００に対して、例えば図１２を用いて既に説明したようにして表示される。この図１３のモデルの場合、例えば、ユーザ１００の情報システム１０２に対するアクセス数に応じて、放送局１０３から事業者１０１に対して支払われる広告媒体料の一部の割合などを設定することができる。
【０１２６】
図１４は、情報システム１０２によるサービスの主体が放送局１０３であり、情報システム１０２の運用を事業者１０１が行う場合の例である。放送局１０３は、事業者１０１に対してシステム利用料Ｐ１０３を支払い、情報システム１０２の利用権を得る。事業者１０１は、情報システム１０２の設置および運用を行う。すなわち、事業者１０１は、放送局１０３に対して情報システム１０２の運用を代行する。また、Ｗｅｂサイトの運営は、放送局１０３が主体で行うが、事業者１０１も、放送局１０３に対して、Ｗｅｂサイトの管理および運営を協力する。ユーザ１００は、情報システム１０２を無料で利用することができる。また、事業者１０１は、技術開発者１０４に対して、情報システム１０２で用いられる盛り上がり検出技術に対するライセンス料Ｐ１０２を支払う。
【０１２７】
一方、広告主１０５は、放送局１０３に対して広告媒体料Ｐ１０５を支払い、広告を放送局１０３の放送コンテンツと共に放送させる。それと共に、情報システム１０２により、広告主１０５により提供される広告がダイジェスト映像と共に携帯端末装置２に対して送信され、携帯端末装置２の表示画面２００に表示される。この図１４のモデルの場合、例えば、ユーザ１００の情報システム１０２に対するアクセス数に応じて、広告媒体料Ｐ１０５やシステム利用料Ｐ１０３を設定することができる。
【０１２８】
図１５は、情報システム１０２によるサービスの主体が放送局１０３であり、情報システム１０２の運用も放送局１０３が行う場合の例である。事業者１０１は、放送局１０３に対して情報システム１０２の開発および設置を行う。放送局１０３は、事業者１０１に対してライセンス料Ｐ１０４を支払い、情報システム１０２を所有する。また、放送局１０３は、Ｗｅｂサイトの管理および運営も行う。ユーザ１００は、情報システム１０２を無料で利用することができる。また、事業者１０１は、技術開発者１０４に対して、情報システム１０２で用いられる盛り上がり検出技術に対するライセンス料Ｐ１０２を支払う。
【０１２９】
一方、広告主１０５は、放送局１０３に対して広告媒体料Ｐ１０５を支払い、広告を放送局１０３の放送コンテンツと共に放送させる。それと共に、情報システム１０２により、広告主１０５により提供される広告がダイジェスト映像と共に携帯端末装置２に対して送信され、携帯端末装置２の表示画面２００に表示される。この図１５のモデルの場合、例えば、ユーザ１００の情報システム１０２に対するアクセス数に応じて、広告媒体料Ｐ１０５を決めることができる。
【０１３０】
なお、これらの無料サービスの場合も、上述した有料サービスの場合と同様に、各料金の支払いは、インターネットなどの通信網を利用した電子商取引を用いるのが好ましい。
【図面の簡単な説明】
【０１３１】
【図１】この発明の実施の一形態によるダイジェスト映像提供システムを説明するための図である。
【図２】ブラウザソフトウェアによる表示例を示す略線図である。
【図３】携帯端末装置の一例の構成を示すブロック図である。
【図４】ダイジェスト映像サーバの一例の構成を示すブロック図である。
【図５】音声信号を用いて盛り上がりシーンを検出する例について説明するための図である。。
【図６】盛り上がりシーンの抽出方法について説明するための図である。
【図７】ユーザが番組表を用いて見たいダイジェスト映像を選択する場合の一例の処理を示すフローチャートである。
【図８】ユーザが過去映像をダイジェスト映像として見たい場合の一例の処理を示すフローチャートである。
【図９】この発明の実施の一形態による映像提供システムを利用したビジネスモデルについて説明するための図である。
【図１０】この発明の実施の一形態による映像提供システムを利用したビジネスモデルについて説明するための図である。
【図１１】この発明の実施の一形態による映像提供システムを利用したビジネスモデルについて説明するための図である。
【図１２】ＴＶ付き携帯端末装置の表示画面に対する広告表示の例を示す略線図である。
【図１３】この発明の実施の一形態による映像提供システムを利用したビジネスモデルについて説明するための図である。
【図１４】この発明の実施の一形態による映像提供システムを利用したビジネスモデルについて説明するための図である。
【図１５】この発明の実施の一形態による映像提供システムを利用したビジネスモデルについて説明するための図である。
【符号の説明】
【０１３２】
１  ダイジェスト映像サーバ
２  携帯端末装置
２１  放送電波受信部
２２  スイッチ
２３  表示部
２５  通信電波送受信部
２６  データ記憶再生部
２７  記憶媒体
２８  制御部
２９  操作部
４１  放送電波受信部
４２  映像記録再生部
４３  記録媒体
４４  通信電波送受信部
４５  制御部
１００  ユーザ
１０１  事業者
１０２  情報システム
１０３  放送局
１０５  広告主
【図１】
2006013796.tif 000003
【図２】
2006013796.tif 000004
【図３】
2006013796.tif 000005
【図４】
2006013796.tif 000006
【図５】
2006013796.tif 000007
【図６】
2006013796.tif 000008
【図７】
2006013796.tif 000009
【図８】
2006013796.tif 000010
【図９】
2006013796.tif 000011
【図１０】
2006013796.tif 000012
【図１１】
2006013796.tif 000013
【図１２】
2006013796.tif 000014
【図１３】
2006013796.tif 000015
【図１４】
2006013796.tif 000016
【図１５】
2006013796.tif 000017